(57)【要約】【課題】少なくとも１つの薬剤調合デバイスを用いて利用され得る情報管理システムおよび方法を提供する（図１）。【解決手段】本発明のシステムおよび方法は、調合デバイス（１０）に結合されたコントローラを含む。調合制御マネージャは、コントローラ（２０）上に備わっており、調合オーダー入力を受け取り、少なくとも一部、ブラウザベースのインターフェース（２０）を介して、調合オーダー入力に基づいて、制御コマンドを調合デバイス（１０）に生成する。【選択図】図１
2010137082.tif 000002
【特許請求の範囲】
【請求項１】
少なくとも１つの薬剤の調合デバイスに使用されるように構成された情報管理システムであって、
少なくとも調合に関連する入力をユーザから受け取るブラウザ−ベースのインターフェースと、
該調合デバイスに結合されるコントローラと、
調合オーダー入力を受け取り、かつ、該調合オーダー入力に少なくとも部分的に基づいて該調合デバイスに対する制御コマンドを生成するように該コントローラ上に常駐する調合制御マネージャと、
調合オーダー入力を該調合制御マネージャに通信するために該調合制御マネージャとのデータ通信を行うオーダープロセス制御マネージャであって、該ブラウザ−ベースのインターフェースを介して調合オーダー入力のエントリを受け取るためのオーダー機能を含むオーダープロセス制御マネージャと、
複数のソース溶液のそれぞれの有効期限を決定する手段と、
該複数のソース溶液の溶液ロット番号および有効期限を含むレポートを自動的に記録および生成する手段と、
該決定する手段からの出力に基づいて、該複数のソース溶液のうちのいずれかの使用について、その使用の警告を提供すること、および／または、その使用を防止することのうちの少なくとも一方を行う手段と、
該調合デバイスにインストールされた複数のソース溶液を決定する手段と、
該複数のソース溶液に結合されるように構成されたそれぞれの運搬チューブのバーコードをスキャンする手段と、
該インストールされた複数のソース溶液と期待される構成を有する運搬チューブとを比較する手段と、
該比較が有効な場合に、オペレータが該調合デバイス上で調合を開始することを許可するか、または、該比較が無効な場合に、該オペレータが調合することを防止するかのいずれかを行う手段と
を含む、情報管理システム。
【請求項２】
前記ブラウザ−ベースのインターフェースは、前記調合デバイスとは別個のオーダーエントリワークステーションを含む、請求項１に記載の情報管理システム。
【請求項３】
前記ブラウザ−ベースのインターフェースは、前記調合デバイスとは別個のオーダーエントリワークステーションのネットワークを含む、請求項１に記載の情報管理システム。
【請求項４】
前記ブラウザ−ベースのインターフェースは、前記コントローラ上に常駐する、請求項１に記載の情報管理システム。
【請求項５】
前記オーダープロセス制御マネージャは、前記調合オーダー入力をメモリに保持するためのデータベース機能を含む、請求項１に記載の情報管理システム。
【請求項６】
前記オーダープロセス制御マネージャは、前記調合オーダー入力に少なくとも部分的に基づいてプリント可能な出力を生成するための印刷機能を含む、請求項１に記載の情報管理システム。
【請求項７】
前記プリント可能な出力は、ラベリングを含む、請求項６に記載の情報管理システム。
【請求項８】
前記オーダープロセス制御マネージャは、前記調合オーダー入力に少なくとも部分的に基づいてレポーティング出力を生成するためのレポート機能を含む、請求項１に記載の情報管理システム。
【請求項９】
前記調合制御マネージャは、前記ブラウザ−ベースのインターフェースを介して実行されるヘルプ機能を含む、請求項１に記載の情報管理システム。
【請求項１０】
前記調合制御マネージャは、前記ブラウザ−ベースのインターフェースを介して実行される少なくとも１つの情報映像を含む、請求項１に記載の情報管理システム。
【発明の詳細な説明】
【技術分野】
【０００１】
１つのおよび／または複数のユーザおよび／またはネットワークのための、強化されたオーダーエントリ機能および情報管理機能を有する薬剤調合システムおよび方法
（関連出願）
本願は、「Ｐｈａｒｍａｃｅｕｔｉｃａｌ  Ｃｏｍｐｏｕｎｄｅｒ  ａｎｄ  Ｉｎｆｏｒｍａｔｉｏｎ  Ｍａｎａｇｅｍｅｎｔ  Ｓｙｓｔｅｍ」という名称で２００１年１２月３１日に出願された米国仮特許出願第６０／３４４，８６９号に基き、その優先権を主張するものである。
【０００２】
本発明は、人または動物に投与されることを意図する液体および／または薬物の調合のためのシステムおよび方法に関する。
【背景技術】
【０００３】
液体および／または薬物の混合物を、必要としている個体に経静脈的に（点滴で）投与するために、薬剤の調合は、２つ以上の個々の液体および／または薬物を複数の、元となる（ソース）容器から１つの混合用容器に移動させることを伴う。現在、液体および／または薬物の調合は、主に３つの現場において発生する。それらは、（１）病院の薬剤部で薬剤師または調剤の専門家によって行われる病院ベースの調合、（２）在宅治療会社の薬局で主に薬剤師または調剤の専門家によって行われる代替場所ベースの調合、（３）いくつかの主要な製薬会社または病院用備品会社の任意の１つの会社によって経営される調合センターである。
【０００４】
これらの調合システムおよび方法における操作上および性能の要求は、例えば、安全、速度、信頼性、正確さおよび全体としてのユーザフレンドリーの程度および人間工学に関して、ますます複雑かつ精緻になっている。これらの調合システムおよび方法における操作上および性能の要求はまた、臨床医に始まり末端の患者に終わる情報経路の提供という点において、患者の管理および処方の情報に関してますます複雑かつ精緻になっている。
【発明の概要】
【課題を解決するための手段】
【０００５】
（本発明の要旨）
本発明の１つの局面が、少なくとも１つの薬剤調合デバイスによって使用されることに適応された情報管理システムおよび方法を提供する。このシステムおよび方法は、調合デバイスに接続されるコントローラを含む。調合制御マネージャは、調合オーダー入力を受け取り、少なくとも一部において調合オーダー入力に基づいて調合デバイスに対して制御コマンドを生成するコントローラ上に常駐する。オーダープロセス制御マネージャは、調合オーダー入力を調合制御マネージャに伝えるために、調合制御マネージャとデータの通信を行う。オーダーエントリプロセスマネージャは、ブラウザベースのインターフェースを介する調合オーダー入力のエントリを受け取るためのオーダー機能を含む。
【０００６】
ブラウザベースのインターフェースは、調合デバイスから離れたオーダーエントリワークステーション、または調合デバイスから離れたオーダーエントリワークステーションのネットワークを含み得、またはコントローラ上に常駐し得る。
【０００７】
オーダーエントリープロセスマネージャは、調合オーダー入力をメモリに保持するためのデータベース機能、少なくとも一部分において調合オーダー入力に基づき、例えばラベル表示などの印刷可能な出力を生成するための印刷機能、または少なくとも一部分において調合オーダー入力に基づき記録の出力を生成するための記録機能を含み得る。
【０００８】
本発明の別の局面は、少なくとも１つのポンプ要素と、ポンプ要素に接続されるコントローラと、コントローラ上に常駐し、調合オーダー入力を受け取り、少なくとも一部分において調合オーダー入力に基づき、ポンプ要素に対する制御コマンドを生成するための調合制御マネージャとを含む、薬剤調合デバイスを提供する。本発明のこの局面によると、この調合制御マネージャは、制御コマンドを生成する前に所定のバーコード入力を要求する検証機能を含む。このバーコード入力は、例えば、ソース溶液の識別および／またはソース溶液のロット番号、および／またはソース溶液の有効期限などを含み得る。
【０００９】
本発明の別の局面は、調合デバイスを用いて薬剤調合手順を実行するためのインターフェースを提供する。このインターフェースは、調合デバイスに接続されるコントローラと、コントローラに接続されるディスプレイスクリーンと、コントローラ上に常駐し、調合オーダー入力を受け取り、少なくとも一部分において調合オーダー入力に基づき、調合デバイスへの制御コマンドを生成する、調合制御マネージャとを含む。本発明のこの局面によると、調合制御マネージャは、調合オーダー入力を受け取るための少なくとも１つのタッチスクリーンを含むディスプレイスクリーン上に生成されるグラフィックユーザインターフェースを含む。タッチスクリーン機能は、例えば、ソース溶液の選択、または運搬される液体の量の選択に作用し得る。調合制御マネージャはまた、グラフィックユーザインターフェースを介して実行されるヘルプ機能、または、グラフィックユーザーインターフェースを介して実行される情報ビデオを含み得る。
【００１０】
本発明の別の局面は、調合デバイスを用いて薬剤の調合手順を実行するためのインターフェースを提供する。このインターフェースは、調合デバイスに接続されるコントローラと、コントローラに接続されるディスプレイスクリーンと、コントローラに常駐し、調合オーダー入力を受け取り、少なくとも一部分において調合オーダーの入力に基づき、調合デバイスに対する制御コマンドを生成する調合制御マネージャとを含む。本発明のこの局面によると、この調合制御マネージャは、ディスプレイスクリーン上に表示可能な少なくとも１つの情報ビデオを含む。
【００１１】
本発明の別の局面は、ドライバと、回転のためにこのドライバに接続されるドライブシャフトとを含む、薬剤調合デバイスを提供する。このドライブシャフトは、第１の軸に沿って延びる。このデバイスはまた、第１の軸からオフセットされた第２の軸にそって延びるアイドルシャフトを含む。蠕動ポンプロータはアイドルシャフトで保持される。ドライブギアはドライブシャフトで保持され蠕動ポンプロータに接続される。クラッチアセンブリはドライブシャフトで保持され、ドライブギアに接続される。クラッチアセンブリは、第１のモードでドライバシャフトからドライブギアを解除するために、かつ第２のモードでドライブギアをドライブシャフトにかみ合わせるために動作可能である。クラッチアセンブリは、それによって、選択的にドライブシャフトの回転を蠕動ポンプロータに伝える。
【００１２】
本発明の別の局面は流体運搬セットを提供する。このセットは、第１の運搬チューブと、第２の運搬チューブと、第１の運搬チューブと第２の運搬チューブとを流体連絡で結合するマニフォールドとを含む。第１の一方向バルブは第１の運搬チューブ中にインラインにあり、第１の運搬チューブの中の流体をマニフォールドの方へ流し得るが、逆方向へは流し得ない。第１の一方向のバルブは、第１のクラッキング圧力を有する。第２の一方向バルブは第２の運搬チューブ中にインラインにあり、第２のチューブの中の流体をマニフォールドの方へ流し得るが、逆方向には流し得ない。第２の一方向バルブは、第１のクラッキング圧力とは異なる第２のクラッキング圧力を有する。薬剤の調合に使用されるとき、運搬セットは脂質の濁りを調節し得る。
【００１３】
本発明の別の特徴および利点は、以下の明細および添付の図面に説明される。
【００１４】
本発明は本発明の意図または本質的な特徴から逸脱することなく、いくつかの形式で具体化され得る。本発明の範囲は、以下の特定の説明によって規定されるのではなく、添付の請求項によって規定される。請求項の意図および範囲と等価であるすべての実施形態は、したがって請求項に含まれることが意図される。
例えば、本発明は以下を提供する。
（項目１）
少なくとも１つの薬剤の調合デバイスに使用されるように適応した情報管理システムであって、
該調合デバイスに結合されるコントローラと、
調合オーダー入力を受け取り、かつ、少なくとも一部において、該調合オーダー入力に基づいて該調合デバイスに制御コマンドを生成するように該コントローラ上に常駐する調合制御マネージャと、
調合オーダー入力を該調合制御マネージャに通信するために該調合制御マネージャとのデータ通信を行うオーダープロセス制御マネージャであって、該オーダーエントリプロセスマネージャがブラウザ−ベースのインターフェースを介して調合オーダー入力のエントリを受け取るためのオーダー機能を含む、オーダープロセス制御マネージャと
を含む、情報管理システム。
（項目２）
前記ブラウザ−ベースのインターフェースは、前記調合デバイスから離れたオーダーエントリワークステーションを含む、項目１に記載の情報管理システム。
（項目３）
前記ブラウザ−ベースのインターフェースは、前記調合デバイスから離れたオーダーエントリワークステーションのネットワークを含む、項目１に記載の情報管理システム。
（項目４）
前記ブラウザ−ベースのインターフェースは、前記コントローラ上に常駐する、項目１に記載の情報管理システム。
（項目５）
前記オーダーエントリプロセスマネージャは、メモリに前記調合オーダー入力を保持するためのデータベース機能を含む、項目１に記載の情報管理システム。
（項目６）
前記オーダーエントリプロセスマネージャは、少なくとも一部に、前記調合オーダー入力に基づいてプリント可能な出力を生成するための印刷機能を含む、項目１に記載の情報管理システム。
（項目７）
前記プリント可能な出力は、ラベリングを含む、項目６に記載の情報管理システム。
（項目８）
前記オーダーエントリプロセスマネージャは、少なくとも一部に、前記調合オーダー入力に基づいてレポーティング出力を生成するためのレポート機能を含む、項目１に記載の情報管理システム。
（項目９）
少なくとも１つのポンプ要素と、
該ポンピング要素に結合されたコントローラと、
調合オーダー入力を受け取り、かつ、少なくとも一部に、該調合オーダー入力に基づいて該ポンプ要素に制御コマンドを生成するために、前記コントローラ上に常駐する調合制御マネージャであって、該調合制御マネージャは、該制御コマンドの生成以前に、所定のバーコード入力を必要とする確認機能を含む、調合制御マネージャと
を含む、薬剤の調合デバイス。
（項目１０）
前記バーコード入力は、少なくとも１つのソース溶液識別、ソース溶液のロット番号、およびソース溶液の有効期限を含む、項目９に記載のデバイス。
（項目１１）
調合デバイスを用いる薬剤の調合手順を実行するためのインターフェースであって、該インターフェースは、
該調合デバイスに結合されたコントローラと、
該コントローラに結合されたディスプレイスクリーンと、
調合オーダー入力を受け取り、かつ、少なくとも一部に、該調合オーダー入力に基づいて該調合デバイスに制御コマンドを生成するように該コントローラ上に常駐する調合制御マネージャであって、該調合制御マネージャは、調合オーダー入力を受け取るための少なくとも１つのタッチ−スクリーンファンクションを含む、該ディスプレイスクリーン上に生成されるグラフィカルユーザインターフェースを含む、調合制御マネージャと
を含む、インターフェース。
（項目１２）
前記調合制御マネージャは、前記グラフィカルユーザインターフェースを介して実行されるヘルプ機能を含む、項目１１に記載のインターフェース。
（項目１３）
前記調合制御マネージャは、前記グラフィカルユーザインターフェースを介して実行される少なくとも１つの情報のビデオを含む、項目１１に記載のインターフェース。
（項目１４）
調合オーダー入力を前記調合制御マネージャに通信するために該調合制御マネージャとのデータ通信を行う状態にあるオーダープロセス制御マネージャをさらに含み、該オーダーエントリプロセスマネージャは、ブラウザ−ベースのインターフェースを介して調合オーダー入力のエントリを受け取るためのオーダー機能を含む、項目１１に記載のインターフェース。
（項目１５）
前記タッチ−スクリーン機能は、ソース溶液の選択に影響する、項目１１に記載のインターフェース。
（項目１６）
前記タッチ−スクリーン機能は、運搬されるべき液体流量の選択に影響する、項目１１に記載のインターフェース。
（項目１７）
調合デバイスを用いて薬剤の調合手順を実行するためのインターフェースであって、該インターフェースは、
該調合デバイスに結合されたコントローラと、
該コントローラに結合されたディスプレイスクリーンと、
調合オーダー入力を受け取り、かつ、少なくとも一部に、該調合オーダー入力に基づいて該調合デバイスに制御コマンドを生成するようにコントローラ上に常駐する調合制御マネージャであって、該調合制御マネージャは、該ディスプレイスクリーン上に表示可能な少なくとも１つの情報のビデオを含む、インターフェース。
（項目１８）
ドライバと、
ロータのための該ドライバに結合されたドライブシャフトであって、該ドライブシャフトは第１の軸に沿って延びる、ドライブシャフトと、
該第１の軸からオフセットされる第２の軸に沿って延びるアイドルシャフトと、
該アイドルシャフト上に搬送される蠕動のポンプロータと、
該ドライブシャフト上に搬送され、かつ、該蠕動のポンプロータに結合されたドライブギアと、
該ドライブギアに結合された該ドライブシャフト上のクラッチアセンブリであって、該クラッチアセンブリは、該ドライブシャフトから該ドライブギアを解放するように第１のモードで動作可能になり、かつ、該ドライブシャフトと該ドライブギアとを係合するように第２のモードで動作可能になり、それにより、該ドライブシャフトのロータを該蠕動のポンプロータに選択的に伝える、クラッチアセンブリと
を含む、薬剤の調合デバイス。
（項目１９）
前記ドライブシャフトのロータレートを制御するために前記ドライバに結合されたコントローラをさらに含む、項目１８に記載のデバイス。
（項目２０）
前記コントローラは、前記ドライバのＰＩＤ制御を使用する、項目１９に記載のデバイス。
（項目２１）
前記ＰＩＤ制御はファジー論理を含む、項目２０に記載のデバイス。
（項目２２）
第１の運搬チューブと、
第２の運搬チューブと、
流体連絡における該第１の運搬チューブと該第２の運搬チューブとを接合するマニフォールドと、
該マニフォールドに向う該第1の運搬チューブにおける流体の流れを可能にし、かつ、
反対方向では可能にしない該第1の運搬チューブにおけるインラインの第1の一方向のバルブであって、該第1の一方向のバルブは第1のクラッキング圧力を有する、第1の一方向の
バルブと、
該マニフォールドに向う該第２の運搬チューブにおける流体の流れを可能にし、かつ、反対方向では可能にしない該第２の運搬チューブにおけるインラインの第２の一方向のバルブであって、該第２の一方向のバルブは該第1のクラッキング圧力と異なる第２のクラ
ッキング圧力を有する、第２の一方向のバルブと
を含む流体の運搬セット。
【図面の簡単な説明】
【００１５】
【図１】図１は、使用時、人または動物に投与されることが意図される２つ以上の選択された液体および／または薬物を混合または調合する調合デバイスを含む、薬剤調合システムの概略図である。
【図２Ａ】図２Ａは、図１に示す調合デバイスと関連して使用され得る使い捨ての運搬セットの図である。
【図２Ｂ】図２Ｂは、図２Ａに示す運搬セットが脂質の濁り（ｈａｚｉｎｇ）を調節するために組み込み得るマニフォールドの実施形態を、部分的に取りだし拡大した断面図である。
【図２Ｃ】図２Ｃは、図２Ａに示す運搬セットが脂質の濁り（ｈａｚｉｎｇ）を調節するために組み込み得るマニフォールドの実施形態を、部分的に取りだし拡大した断面図である。
【図２Ｄ】図２Ｄは、図２Ａに示す運搬セットが脂質の濁り（ｈａｚｉｎｇ）を調節するために組み込み得るマニフォールドの別の実施形態を、部分的に取りだし拡大した断面図である。
【図２Ｅ】図２Ｅは、図２Ａに示す運搬セットが脂質の濁り（ｈａｚｉｎｇ）を調節するために組み込み得るマニフォールドの別の実施形態を、部分的に取りだし拡大した断面図である。
【図２Ｆ】図２Ｆは、図２Ａに示す使い捨ての運搬セットの部分の図であり、この運搬セットの部分は、図１に示す調合デバイスと共にこの運搬セットを使用するのを容易にするための運搬チューブのオーガナイザを含む。
【図３】図３は、図２Ａに示す運搬セットが使用のために調合デバイスに取り付けられたところを表す図１に示すシステムの概略図である。
【図４】図４は、図２Ａに示すタイプの運搬セットを装着するために蠕動ポンプステーションが開かれている、図１に示す調合デバイスの概略図である。
【図５】図５は、蠕動ポンプステーションに運搬セットが取り付けられた、図４に示す調合デバイスの透視図である。
【図６Ａ】図６Ａは、蠕動ポンプコンポーネントとその他の内部コンポーネントとを示すために外側のケースが外された、図４に示す調合デバイスの透視図である。
【図６Ｂ】図６Ｂは、図６Ａに示す蠕動ポンプのコンポーネントの分解透視図である。
【図７】図７は、図６Ａに示す調合デバイスの上面図である。
【図８Ａ】図８Ａは、図１に示す調合デバイスを組み込む、リンクされるおよび／またはネットワーク化されるシステムの別の構成の概略図である。
【図８Ｂ】図８Ｂは、図１に示す調合デバイスを組み込む、リンクされるおよび／またはネットワーク化されるシステムの別の構成の概略図である。
【図８Ｃ】図８Ｃは、図１に示す調合デバイスを組み込む、リンクされるおよび／またはネットワーク化されるシステムの別の構成の概略図である。
【図８Ｄ】図８Ｄは、図１に示す調合デバイスを組み込む、リンクされるおよび／またはネットワーク化されるシステムの別の構成の概略図である。
【図８Ｅ】図８Ｅは、図１に示す調合デバイスを組み込む、リンクされるおよび／またはネットワーク化されるシステムの別の構成の概略図である。
【図８Ｆ】図８Ｆは、図１に示す調合デバイスを組み込む、リンクされるおよび／またはネットワーク化されるシステムの別の構成の概略図である。
【図９Ａ】図９Ａは、図１に示す調合デバイスに常駐する調合制御マネージャ機能が、調合手順を可能にしかつ制御するプロセスにおいて、生成し得るグラフィックユーザインターフェースの代表的なスクリーンである。
【図９Ｂ】図９Ｂは、図１に示す調合デバイスに常駐する調合制御マネージャ機能が、調合手順を可能にしかつ制御するプロセスにおいて、生成し得るグラフィックユーザインターフェースの代表的なスクリーンである。
【図９Ｃ】図９Ｃは、図１に示す調合デバイスに常駐する調合制御マネージャ機能が、調合手順を可能にしかつ制御するプロセスにおいて、生成し得るグラフィックユーザインターフェースの代表的なスクリーンである。
【図９Ｄ】図９Ｄは、図１に示す調合デバイスに常駐する調合制御マネージャ機能が、調合手順を可能にしかつ制御するプロセスにおいて、生成し得るグラフィックユーザインターフェースの代表的なスクリーンである。
【図９Ｅ】図９Ｅは、図１に示す調合デバイスに常駐する調合制御マネージャ機能が、調合手順を可能にしかつ制御するプロセスにおいて、生成し得るグラフィックユーザインターフェースの代表的なスクリーンである。
【図９Ｆ】図９Ｆは、図１に示す調合デバイスに常駐する調合制御マネージャ機能が、調合手順を可能にしかつ制御するプロセスにおいて、生成し得るグラフィックユーザインターフェースの代表的なスクリーンである。
【図９Ｇ】図９Ｇは、図１に示す調合デバイスに常駐する調合制御マネージャ機能が、調合手順を可能にしかつ制御するプロセスにおいて、生成し得るグラフィックユーザインターフェースの代表的なスクリーンである。
【図９Ｈ】図９Ｈは、図１に示す調合デバイスに常駐する調合制御マネージャ機能が、調合手順を可能にしかつ制御するプロセスにおいて、生成し得るグラフィックユーザインターフェースの代表的なスクリーンである。
【図９Ｉ】図９Ｉは、図１に示す調合デバイスに常駐する調合制御マネージャ機能が、調合手順を可能にしかつ制御するプロセスにおいて、生成し得るグラフィックユーザインターフェースの代表的なスクリーンである。
【図９Ｊ】図９Ｊは、図１に示す調合デバイスに常駐する調合制御マネージャ機能が、調合手順を可能にしかつ制御するプロセスにおいて、生成し得るグラフィックユーザインターフェースの代表的なスクリーンである。
【図９Ｋ】図９Ｋは、図１に示す調合デバイスに常駐する調合制御マネージャ機能が、調合手順を可能にしかつ制御するプロセスにおいて、生成し得るグラフィックユーザインターフェースの代表的なスクリーンである。
【図９Ｌ】図９Ｌは、図１に示す調合デバイスに常駐する調合制御マネージャ機能が、調合手順を可能にしかつ制御するプロセスにおいて、生成し得るグラフィックユーザインターフェースの代表的なスクリーンである。
【図９Ｍ】図９Ｍは、図１に示す調合デバイスに常駐する調合制御マネージャ機能が、調合手順を可能にしかつ制御するプロセスにおいて、生成し得るグラフィックユーザインターフェースの代表的なスクリーンである。
【図９Ｎ】図９Ｎは、図１に示す調合デバイスに常駐する調合制御マネージャ機能が、調合手順を可能にしかつ制御するプロセスにおいて、生成し得るグラフィックユーザインターフェースの代表的なスクリーンである。
【図９Ｏ】図９Ｏは、図１に示す調合デバイスに常駐する調合制御マネージャ機能が、調合手順を可能にしかつ制御するプロセスにおいて、生成し得るグラフィックユーザインターフェースの代表的なスクリーンである。
【図９Ｐ】図９Ｐは、図１に示す調合デバイスに常駐する調合制御マネージャ機能が、調合手順を可能にしかつ制御するプロセスにおいて、生成し得るグラフィックユーザインターフェースの代表的なスクリーンである。
【図９Ｑ】図９Ｑは、図１に示す調合デバイスに常駐する調合制御マネージャ機能が、調合手順を可能にしかつ制御するプロセスにおいて、生成し得るグラフィックユーザインターフェースの代表的なスクリーンである。
【図９Ｒ】図９Ｒは、図１に示す調合デバイスに常駐する調合制御マネージャ機能が、調合手順を可能にしかつ制御するプロセスにおいて、生成し得るグラフィックユーザインターフェースの代表的なスクリーンである。
【図９Ｓ】図９Ｓは、図１に示す調合デバイスに常駐する調合制御マネージャ機能が、調合手順を可能にしかつ制御するプロセスにおいて、生成し得るグラフィックユーザインターフェースの代表的なスクリーンである。
【図９Ｔ】図９Ｔは、図１に示す調合デバイスに常駐する調合制御マネージャ機能が、調合手順を可能にしかつ制御するプロセスにおいて、生成し得るグラフィックユーザインターフェースの代表的なスクリーンである。
【図９Ｕ】図９Ｕは、図１に示す調合デバイスに常駐する調合制御マネージャ機能が、調合手順を可能にしかつ制御するプロセスにおいて、生成し得るグラフィックユーザインターフェースの代表的なスクリーンである。
【図９Ｖ】図９Ｖは、図１に示す調合デバイスに常駐する調合制御マネージャ機能が、調合手順を可能にしかつ制御するプロセスにおいて、生成し得るグラフィックユーザインターフェースの代表的なスクリーンである。
【図９Ｗ】図９Ｗは、図１に示す調合デバイスに常駐する調合制御マネージャ機能が、調合手順を可能にしかつ制御するプロセスにおいて、生成し得るグラフィックユーザインターフェースの代表的なスクリーンである。
【図１０Ａ】図１０Ａは、オーダーエントリプロセスマネージャ機能の代表的機能モジュールのシステムフローチャートである。このモジュールは、図１に示す調合デバイスの調合制御マネージャ機能と関連して使用されるとき、リモートワークステーションにインストールされたブラウザによってアクセスされ得る、強化された調合オーダーエントリ機能および処理機能を提供する。
【図１０Ｂ】図１０Ｂは、オーダーエントリプロセスマネージャ機能の代表的機能モジュールのシステムフローチャートである。このモジュールは、図１に示す調合デバイスの調合制御マネージャ機能と関連して使用されるとき、リモートワークステーションにインストールされたブラウザによってアクセスされ得る、強化された調合オーダーエントリ機能および処理機能を提供する。
【図１０Ｃ】図１０Ｃは、オーダーエントリプロセスマネージャ機能の代表的機能モジュールのシステムフローチャートである。このモジュールは、図１に示す調合デバイスの調合制御マネージャ機能と関連して使用されるとき、リモートワークステーションにインストールされたブラウザによってアクセスされ得る、強化された調合オーダーエントリ機能および処理機能を提供する。
【図１０Ｄ】図１０Ｄは、オーダーエントリプロセスマネージャ機能の代表的機能モジュールのシステムフローチャートである。このモジュールは、図１に示す調合デバイスの調合制御マネージャ機能と関連して使用されるとき、リモートワークステーションにインストールされたブラウザによってアクセスされ得る、強化された調合オーダーエントリ機能および処理機能を提供する。
【図１０Ｅ】図１０Ｅは、オーダーエントリプロセスマネージャ機能の代表的機能モジュールのシステムフローチャートである。このモジュールは、図１に示す調合デバイスの調合制御マネージャ機能と関連して使用されるとき、リモートワークステーションにインストールされたブラウザによってアクセスされ得る、強化された調合オーダーエントリ機能および処理機能を提供する。
【図１１Ａ】図１１Ａは、図１０Ａから図１０Ｅに示すオーダーエントリプロセスマネージャの機能モジュールをリモートワークステーションにアクセス可能にする、ブラウザベースのグラフィックユーザインターフェースの代表的スクリーンである。
【図１１Ｂ】図１１Ｂは、図１０Ａから図１０Ｅに示すオーダーエントリプロセスマネージャの機能モジュールをリモートワークステーションにアクセス可能にする、ブラウザベースのグラフィックユーザインターフェースの代表的スクリーンである。
【図１１Ｃ】図１１Ｃは、図１０Ａから図１０Ｅに示すオーダーエントリプロセスマネージャの機能モジュールをリモートワークステーションにアクセス可能にする、ブラウザベースのグラフィックユーザインターフェースの代表的スクリーンである。
【図１１Ｄ】図１１Ｄは、図１０Ａから図１０Ｅに示すオーダーエントリプロセスマネージャの機能モジュールをリモートワークステーションにアクセス可能にする、ブラウザベースのグラフィックユーザインターフェースの代表的スクリーンである。
【図１１Ｅ−１】図１１Ｅは、図１０Ａから図１０Ｅに示すオーダーエントリプロセスマネージャの機能モジュールをリモートワークステーションにアクセス可能にする、ブラウザベースのグラフィックユーザインターフェースの代表的スクリーンである。
【図１１Ｅ−２】図１１Ｅは、図１０Ａから図１０Ｅに示すオーダーエントリプロセスマネージャの機能モジュールをリモートワークステーションにアクセス可能にする、ブラウザベースのグラフィックユーザインターフェースの代表的スクリーンである。
【図１１Ｅ−３】図１１Ｅは、図１０Ａから図１０Ｅに示すオーダーエントリプロセスマネージャの機能モジュールをリモートワークステーションにアクセス可能にする、ブラウザベースのグラフィックユーザインターフェースの代表的スクリーンである。
【図１１Ｅ−４】図１１Ｅは、図１０Ａから図１０Ｅに示すオーダーエントリプロセスマネージャの機能モジュールをリモートワークステーションにアクセス可能にする、ブラウザベースのグラフィックユーザインターフェースの代表的スクリーンである。
【図１１Ｆ−１】図１１Ｆは、図１０Ａから図１０Ｅに示すオーダーエントリプロセスマネージャの機能モジュールをリモートワークステーションにアクセス可能にする、ブラウザベースのグラフィックユーザインターフェースの代表的スクリーンである。
【図１１Ｆ−２】図１１Ｆは、図１０Ａから図１０Ｅに示すオーダーエントリプロセスマネージャの機能モジュールをリモートワークステーションにアクセス可能にする、ブラウザベースのグラフィックユーザインターフェースの代表的スクリーンである。
【図１１Ｆ−３】図１１Ｆは、図１０Ａから図１０Ｅに示すオーダーエントリプロセスマネージャの機能モジュールをリモートワークステーションにアクセス可能にする、ブラウザベースのグラフィックユーザインターフェースの代表的スクリーンである。
【図１１Ｆ−４】図１１Ｆは、図１０Ａから図１０Ｅに示すオーダーエントリプロセスマネージャの機能モジュールをリモートワークステーションにアクセス可能にする、ブラウザベースのグラフィックユーザインターフェースの代表的スクリーンである。
【図１１Ｇ−１】図１１Ｇは、図１０Ａから図１０Ｅに示すオーダーエントリプロセスマネージャの機能モジュールをリモートワークステーションにアクセス可能にする、ブラウザベースのグラフィックユーザインターフェースの代表的スクリーンである。
【図１１Ｇ−２】図１１Ｇは、図１０Ａから図１０Ｅに示すオーダーエントリプロセスマネージャの機能モジュールをリモートワークステーションにアクセス可能にする、ブラウザベースのグラフィックユーザインターフェースの代表的スクリーンである。
【図１１Ｈ−１】図１１Ｈは、図１０Ａから図１０Ｅに示すオーダーエントリプロセスマネージャの機能モジュールをリモートワークステーションにアクセス可能にする、ブラウザベースのグラフィックユーザインターフェースの代表的スクリーンである。
【図１１Ｈ−２】図１１Ｈは、図１０Ａから図１０Ｅに示すオーダーエントリプロセスマネージャの機能モジュールをリモートワークステーションにアクセス可能にする、ブラウザベースのグラフィックユーザインターフェースの代表的スクリーンである。
【図１１Ｈ−３】図１１Ｈは、図１０Ａから図１０Ｅに示すオーダーエントリプロセスマネージャの機能モジュールをリモートワークステーションにアクセス可能にする、ブラウザベースのグラフィックユーザインターフェースの代表的スクリーンである。
【図１１Ｉ−１】図１１Ｉは、図１０Ａから図１０Ｅに示すオーダーエントリプロセスマネージャの機能モジュールをリモートワークステーションにアクセス可能にする、ブラウザベースのグラフィックユーザインターフェースの代表的スクリーンである。
【図１１Ｉ−２】図１１Ｉは、図１０Ａから図１０Ｅに示すオーダーエントリプロセスマネージャの機能モジュールをリモートワークステーションにアクセス可能にする、ブラウザベースのグラフィックユーザインターフェースの代表的スクリーンである。
【図１１Ｉ−３】図１１Ｉは、図１０Ａから図１０Ｅに示すオーダーエントリプロセスマネージャの機能モジュールをリモートワークステーションにアクセス可能にする、ブラウザベースのグラフィックユーザインターフェースの代表的スクリーンである。
【図１２】図１２は、図１０Ａから図１０Ｅまでおよび図１１Ａから図１１Ｉに示すオーダーエントリプロセスマネージャが生成し得るラベル表示の代表的な図である。
【図１３】図１３は、図１に示す調合デバイスが組み込み得るコントローラの概略図である。このコントローラは、図９Ａから図９Ｗ、図１０Ａから図１０Ｅ，および図１１Ａから図１１Ｉに示す調合制御マネージャ機能およびオーダーエントリプロセスマネージャ機能を実行し得る。
【図１４Ａ】図１４は、図１に示す調合デバイスの調合制御マネージャと統合され得る、トレーニング／ヘルプのビデオ−オーディオ機能の代表的なスクリーンである。
【図１４Ｂ−１】図１４は、図１に示す調合デバイスの調合制御マネージャと統合され得る、トレーニング／ヘルプのビデオ−オーディオ機能の代表的なスクリーンである。
【図１４Ｂ−２】図１４は、図１に示す調合デバイスの調合制御マネージャと統合され得る、トレーニング／ヘルプのビデオ−オーディオ機能の代表的なスクリーンである。
【図１４Ｂ−３】図１４は、図１に示す調合デバイスの調合制御マネージャと統合され得る、トレーニング／ヘルプのビデオ−オーディオ機能の代表的なスクリーンである。
【図１４Ｂ−４】図１４は、図１に示す調合デバイスの調合制御マネージャと統合され得る、トレーニング／ヘルプのビデオ−オーディオ機能の代表的なスクリーンである。
【図１４Ｂ−５】図１４は、図１に示す調合デバイスの調合制御マネージャと統合され得る、トレーニング／ヘルプのビデオ−オーディオ機能の代表的なスクリーンである。
【図１４Ｂ−６】図１４は、図１に示す調合デバイスの調合制御マネージャと統合され得る、トレーニング／ヘルプのビデオ−オーディオ機能の代表的なスクリーンである。
【図１４Ｂ−７】図１４は、図１に示す調合デバイスの調合制御マネージャと統合され得る、トレーニング／ヘルプのビデオ−オーディオ機能の代表的なスクリーンである。
【図１４Ｂ−８】図１４は、図１に示す調合デバイスの調合制御マネージャと統合され得る、トレーニング／ヘルプのビデオ−オーディオ機能の代表的なスクリーンである。
【発明を実施するための形態】
【００１６】
（好ましい実施形態の説明）
図１は、薬剤調合システム１０を示す。システム１０は、人または動物に投与されることが意図される２つ以上の選択された液体および／または薬物の混合または調合に使用され得る。使用時、システム１０は、液体および／または薬物が必要とする個体に（例えば点滴で）投与され得るように、２つ以上の個々の所定の液体および／または薬物を、複数の（例えば、各ガラス瓶、瓶、注射器、または袋の）ソース容器から（例えばビン、注射器、または袋の）１つの混合容器に移す役割をする。
【００１７】
１つの例として、怪我、病気またはトラウマ（心的外傷）のために、患者は必要な栄養のすべてまたはいくらかを点滴で取る必要があり得る。この状況で、患者は典型的にアミノ酸、デキストロース、および脂肪乳剤の混合物を含む塩基性の溶液を摂取する。これら混合物は、患者の必要とする栄養の主要な部分を提供し、それは完全非経口栄養、または略してＴＰＮと呼ばれる。この構成の中で、医者は、頻繁な薬剤の投与だけではなく、投与されるべきアミノ酸、デキストロース、および脂肪乳剤の混合物を処方する。患者を長期にわたりＴＰＮで維持するために、ビタミン、ミネラル、電解質等の少量の追加の添加剤もまたその混合物に含むように処方される。薬剤師の監督の下で、システム１０を使用すると、固体への投与のために処方のオーダーが入力され、そしてこれに従って処方された液体、薬物、および／または添加剤の個々の投与量が別々の個々のソース容器から１つの容器での混合のために運搬される。
【００１８】
システム１０が使用に適する別の環境もある。例えば、医療分野では、システム１０は、化学療法、心筋収縮の中断、抗生物質および／または血液製剤の治療の実施が関与する治療の支援において、ならびに、診断用の溶液調製、および細胞および分子のプロセス開発のための溶液調製を含むバイオテクノロジーの操作において、液体および／または薬物の調合に使用され得る。さらに、システム１０は、医療分野外で、液体の調合に使用され得る。
【００１９】
しかしながら、システム１０の特徴および利点を説明するために、例示する実施形態はＴＰＮの支援におけるシステム１０の使用を説明する。
【００２０】
（Ｉ．  システム概略）
システム１０は、３つの主要なコンポーネントを含む。それらは、（ｉ）使用時は、最終溶液容器１４を個々の溶液ソース容器１６に結合する、液体運搬セット１２（図２Ａ参照）、（ｉｉ）使用時は（図３参照）、運搬セット１２と相互作用する、溶液ソース容器１６から最終溶液容器１４へ液体を移すための、調合または溶液混合デバイス１８、および（ｉｉｉ）通常は、調合現場で、訓練された臨床医によって薬剤師の監督の下で実行される、医師によって処方される調合または溶液混合の手順を実行するための相互作用を調節するコントローラ２０（図１参照）の３つである。
【００２１】
調合デバイス１８およびコントローラ２０は、長期の使用が可能な耐用品であることが意図される。例示される実施形態（図１参照）では、調合デバイス１８はハウジングまたはケース２２の内側に取り付けられ、コントローラ２０は、その大部分が、ケース２２の外部表面に取り付けられたコントロールパネル２４内に取り付けられる。ケース２２は、テーブル上またはその他比較的小さい表面上での設置または動作に適する、コンパクトな設置面積を表す。ケース２２およびパネル２４は、例えば、モールドまたは成型によって所望の構成に形成し得る。ケース２２およびパネル２４は、好ましくは、例えばプラスチックまたは金属の、軽い、しかし耐用性のある材料で製造される。
【００２２】
運搬セット１２（図２Ａ参照）は、無菌の、１回のみの使用の、使い捨て品であることが意図される。図３に例示するように、所定の調合手順を開始する前に、オペレータは、デバイス１８に関連する運搬セット１２の種々のコンポーネントを装着する。
【００２３】
説明のように、デバイス１８は、使用時、（図３に示すように）最終溶液容器１４を保持する計量ステーション２６を含む。計量ステーション２６は、例示の実施形態では、支持アーム２８はケース２２の側面または底部に取り付けられる。計量ステーション２６はまた、支持アーム２８の上部から吊るされる通常のロードセル３０を含む。調合の間、最終溶液容器１４は、ロードセル３０（図３参照）上のハンガーＨから吊るされる。やはり例示するように、デバイス１８は、ソース溶液支持フレーム３２を含む。支持フレーム３２は、調合の間、個々のソース容器１６を保持するいくつかの個々のハンガーＨを有する。
【００２４】
例示するように、支持フレーム３２は別個のコンポーネントを含むが、支持フレーム３２は、ケース２２に適切な方法で取り付けられ得る。通常、調合の間、デバイス１８は、ソース容器１６および最終容器１４と共に層流フードの内部に「無菌室」の環境で装着される。
【００２５】
図２Ａに示す運搬セット１２は、一般的に、一方の端で共通連結部またはマニフォールド３６に結合されるいくつかのソース運搬チューブ３４を含み得る。ソース運搬チューブ３４のもう一方の端はそれぞれ、スパイク３８または適切な、取り外し可能な結合器を含み、それは、ソース溶液容器１６とそれぞれのソース運搬チューブ３４との間の液体連絡を開くために、関連するソース溶液容器１６が有するダイアフラム（隔壁）を介して挿入され得る。１本の最終運搬チューブ４０は最終溶液容器１４に接続される。最終運搬チューブ４０のもう一方の端はスパイク４２または適切な、取り外し可能な結合器を含み、それは、最終溶液容器１４をソース溶液容器１６に結合するために、マニフォールド３６の出口４４の中に挿入され得る。ソース運搬チューブ３４および最終運搬チューブ４０はｄｉ−２−ｅｔｈｙｌｈｅｘｙｌ−ｐｈｔｈａｌａｔｅによって可塑化されたポリ塩化ビニルなどの、医療グレードのフレキシブルなプラスチック材料から製造され得る。１つ以上のソース容器１６または最終容器１４は、同様に、意図されるソース溶液との不活性さおよび適合性のために選択される医療グレードのプラスチック材料から製造され得る。同様に、１つ以上のソース容器１６または最終容器１４はガラスから製造され得る。
【００２６】
各ソース運搬チューブ３４は、スパイク３８およびマニフォールド３６との間にインラインにあるポンプセグメント４６を含む。ポンプセグメント３４は、例えばシリコンラバーから製造され得る。各ソース運搬チューブ３４はまた、インラインにある（例えば、ダックビル型、ディスク型、または傘型バルブの）一方向バルブ４８を含み、例示の実施形態では、そのバルブはマニフォールド３６の中に保持され（図２Ｂ参照）、ソース容器１６からマニフォールド３６へ液体を流させるがマニフォールド３６から任意のソース容器１６への逆流を防ぐ。各バルブ４８は、順方向の流体の流れに応じて開き、液体がマニフォールド３６の中へ流れ込みスパイク受け出口（ｓｐｉｋｉ−ｒｅｃｅｉｖｉｎｇ  ｏｕｔｌｅｔ）４４を通過する（つまり、最終溶液容器１４の方へ流れる）のを可能にする。各バルブ４８は、出口４４から来るマニフォールド３６の中への液体の逆流に対して閉じる。
【００２７】
各ポンプセグメント４６は蠕動ポンプロータと関連して使用するように設計される。したがって、図４に示すように、調合デバイス１８は蠕動ポンプステーション５０を含む。図４に示すように、蠕動ポンプステーション５０はポンプベイ５２またはデバイスの中に形成される区画を占有する。図示のように、蠕動ポンプステーション５０は、個々の蠕動ポンプロータアセンブリ５４の軸アレイを含むが、非軸アレイも使用し得る。さらに、ポンプステーション５０は、横に並んだ蠕動ポンプロータアセンブリ５４のバンクを複数含み得る。
【００２８】
蠕動ポンプステーション５０はポンプベイ５２を開閉するドア５６を含む。図５に示すように、ドア５６は（図４に示すように）、選択された蠕動ポンプロータアセンブリ５４の１つと関連して、選択されたポンプセグメント４６の１つを装着し得るように開く。ドアは、（図３に示すように）動作の間、蠕動ポンプステーション５０を封入するために閉じる。望ましくは、コントローラ２０は、電子インターロック６６に接続され（図１３参照）、ドア５６が開かれている間、蠕動ポンプロータアセンブリ５４の動作を妨げる。
【００２９】
コントローラ２０は、所定のデータエントリオーダーおよび事前にプログラムされたポンプ制御ルールに基いて調合プロトコルまたは手順を実行する。コントローラ２０はまた、オペレータからの別の入力も含み得る。動作の間、蠕動ポンプロータアセンブリ５４は、コントローラ２０によって指示されるように、個々に、選択的に連続して動作されるか、または同時に、選択的に並行して動作され、ソース溶液の所望の量を個々のソース容器１６からマニフォールド３６を通って最終容器１４へ運ぶ。ロードセル３０は、コントローラ２０に接続され、個々のソース溶液が最終容器１４に漸増的に運搬されるのを重量測定的にモニターする。コントローラ２０は重量の漸増的変化をモニターする。漸増的変化は、所定の蠕動ポンプアセンブリ５４が動作される速度を調節し、最終的に所定の量のソース溶液が運ばれたとき停止するように、事前にプログラムされたルールにしたがって処理される。
【００３０】
コントローラ２０（図１３参照）は、メイン処理ユニット（ＭＰＵ）５８を含み得る。ＭＰＵ５８は、例示される実施形態では、調合デバイス１８のケース２２の外側で、コントロールパネル２４内に取り付けられる従来のＰＣを含む。もしくは、ＭＰＵ５８は、調合デバイス１８のケース２２内に取り付けられ得る。ＭＰＵ５８は、Ｍｉｃｒｏｓｏｆｔ（登録商標）Ｗｉｎｄｏｗｓ（登録商標）の動作環境をサポートする、１つ以上の従来のマイクロプロセッサを含み得る。ＭＰＵ５８は、従来のＲＡＭ１２２およびハードディスクドライブなどの、従来の不揮発性メモリデバイス７４を含む。ＭＰＵ５０は、例えばＣＤ読み出し装置のメモリデバイス７４にプログラムをアップロードするための入力デバイス１２４を含む。例示される実施形態では、調合制御マネージャ機能７２は、ＭＰＵ５８のメモリデバイス７４の中にプロセスソフトウェアとして常駐する。
【００３１】
例示される実施形態では、コントローラ２０はまた、スーパーバイザーＣＰＵ１２６および周辺処理ユニット（ＰＰＵ）６０を含む。ＣＰＵ１２６およびＰＰＵ６０の両方とも望ましくはプリント回路基板上で実行される。ＣＰＵは、ｕＣ／ＯＳ−ＩＩのオペレーティングシステムを走行させ得る通常のマイクロプロセッサを含む。ＰＰＵは、処理タスクおよび制御機能専用のファームウェアで駆動されるマイクロチップのＰＩＣである。例示される実施形態では、ＣＰＵ１２６およびＰＰＵ６０は、調合デバイス１８の電子ベイ６２またはケース２２の区画の中に取り付けられる（図６Ａ、図６Ｂおよび図７参照）。ＡＣパワーサプライ（図示せず）は、デバイス１８のＣＰＵ１２６、ＰＰＵ６０、およびその他の電子コンポーネントに電力を供給する。
【００３２】
ＣＰＵ１２６は、ＵＳＢ、ＲＳ−２３２、またはＥｔｈｅｒｎｅｔ（登録商標）ポート、またはその他接続手段を介して、ＭＰＵ５８に接続される（図１３参照）。ＣＰＵ１２６は、調合制御マネージャ７２によって生成されるハイレベルの命令をＭＰＵ５８から受け取る。ＰＰＵ６０（図１３参照）は、ＲＳ−２３２リンクを介してＣＰＵ１２６に接続される。調合制御マネージャ７２によって生成されるハイレベルの命令は中間レベルコマンドとしてＣＰＵ１２６を介してＰＰＵ６０に運ばれる。ＰＰＵ６０は、蠕動ポンプステーション５０および計量ステーション２６の種々のハードウェア、例えば、ドアインターロック６６（既に説明）、ポンプモータ６４（後述する図６Ａをさらに参照）、ポンプクラッチ６８（後述する）、ホール効果ポンプロータセンサ７０（同様に後述する）、ロードセル３０（既に説明）等に接続される。ＰＰＵ６０は、（例えば、既に説明したように、ドア５６が開くとポンプモータ６４を停止する）などのセーフガードの第１のレベルに基くだけでなく、ＣＰＵ１２６によって生成される中間レベルの制御コマンドにも基き、ハードウェア専用のコマンドを提供する。ＰＰＵ６０およびＣＰＵ１２６は、個々の故障のバックアップおよび修正動作をとるために互いに通信しかつモニターする。
【００３３】
調合制御マネージャ７２機能７２はＭＰＵ５８上に常駐する。調合制御マネージャ７２は、所定の調合タスクを達成するために、入力データの受け取りおよび操作、デバイスのステータスおよび動作条件のモニター、データの出力または格納、および蠕動ポンプステーション５０の動作の命令を行うための手順を規定する、事前にプログラムされたルールを含む。ＭＰＵ５８は、（例えば、各蠕動ポンプアセンブリ５４が運ぶ液体の量など）ハイレベルの命令をＣＰＵ１２６に伝える。このハイレベルの命令はオペレータによる入力に応じて調合制御マネージャ７２によって作成される。次にＣＰＵ１２６は、中間レベルの命令をＰＰＵ６０に伝え、ＰＰＵ６０は、ポンピングの命令を実行するために特定のポンプコマンドを蠕動ポンプアセンブリ５４に伝え、閉ループのフィードバック制御および対応するアラームを生成するために、センサおよびロードセルからの動作ステータスを受け取り評価する。ＰＰＵ６０はまた、動作ステータスをＣＰＵ１２６にリレーし、ＣＰＵ１２６はまた、ＰＰＵ６０と並行して動作データを評価する。この点において、ＣＰＵ１２６は、ＰＰＵ６０によってアラーム状態が検出されないとき、セーフガードの第２のレベルを提供する（例えば、別の方法ではＰＰＵ６０によって検知されない過剰運搬が起こっているとき、ポンピングを停止する）。
【００３４】
例示的実施形態において（図１参照）、コントローラ２０は、コントロールパネル２４の一部分であるディスプレイデバイス７６と、データ入力デバイス７８（例えば、キーボードおよびマウス）と、データ出力ステーション８０（例えば、プリンタ）とを備え、これらは、適切な入力および出力を介してＭＰＵ５８に接続されている。例示的実施形態において（図１参照）、ディスプレイデバイス７６は、さらに、例えば、調合制御マネージャ７２に常駐するＷｉｎｄｏｗｓ（登録商標）ベースの動作プラットフォームを用いる調合制御マネージャ７２によって実現される従来のタッチスクリーン手法を用いる別のデータ入力デバイスとしても利用されることも好ましい。調合制御マネージャ７２がこの構成で実行するデータディスプレイとデータ入力との組み合わされた能力は、双方向ユーザインターフェースをディスプレイデバイス７６上に提供し、この表示デバイス７６は、調合制御マネージャ７２に常駐する事前プログラムされた規則下でデータ入力を受取り、かつ、入力されたデータを入力促進または確認する情報、ならびに調合デバイス１８のモニタリングされた動作ステータスおよび状態をオペレータに表示する。調合制御マネージャ７２は、さらに、実際のポンプ送達結果に関する元の指示を検証することによって、第３レベルの安全措置を提供する。必要に応じて、英数字フォーマットで、および／または図表または図形イメージとして表示され得る。調合制御マネージャ７２は、さらに、例えば、作業報告として、選択された情報を所望のフォーマットでプリンタ８０に出力することを可能にする。調合制御マネージャ７２の双方向ユーザインターフェースは、オペレータが、システム１０の動作に関する情報を都合よく入力、閲覧、および取り入れることを可能にする。調合制御マネージャ７２によって実現され得る調合制御マネージャ７２およびタッチスクリーン双方向ユーザインターフェースのさらなる詳細が後述される。
【００３５】
図１にも示されるように、ＭＰＵ５８は、走査して情報を調合制御マネージャ７２に読み込むためのバーコードリーダ８２等の入力をさらに含む。システム１０のこの局面のさらなる詳細が後述される。
【００３６】
図１にも示されるように、ＭＰＵ５８は、キーボードおよびマウスデータエントリデバイス７８の入力をさらに備える。これらのデバイス７８は、オペレータが調合制御マネージャ７２によって走査するためにデータを入力し、表示デバイス７６によって提供された情報と異なった方法で双方向通信することを可能にし、かつ、調合制御マネージャ７２のタッチスクリーンデータ入力能力は使用しない。この構成において（図１３参照）、コントローラ２０は、好ましくは、コントロールパネル２４におけるＭＰＵ５８のメモリデバイス７４に常駐し得るオーダーエントリプロセスマネージャ（ｏｒｄｅｒ  ｅｎｔｒｙ  ｐｒｏｃｅｓｓ  ｍａｎａｇｅｒ）８４を備える。オーダーエントリマネージャ８４は、双方向データ入力およびデータ閲覧プラットフォームの可能な他の形態、ならびに、詳細に後述されるように、最終溶液容器１４のラベリングのような、選択されたフォーマットでのプリンタ８０へのデータ出力の他の形態を作製する。
【００３７】
好ましくは（図１３が示すように）、オーダーエントリプロセスマネージャ８４は、デバイスコントローラ２０の調合制御マネージャ７２にリンクされた１つ以上の外部マイクロプロセッサ８８上に常駐するブラウザソフトウェア８６によってアクセスされ得る。この構成において、コントローラ２０は、好ましくは、ＲＳ−２３２リンクまたは別の代替的データ通信接続（例えば、無線、マイクロ波、赤外線、または他の電磁波通信システム）を備え、例えば、単一ステーションのハブを有さないローカルエリアネットワーク接続、複数ステーションハブ、またはスイッチローカルエリアネットワーク接続、ファシリティネットワークサーバとの複数ステーションハブ通信、ならびに／あるいは、公開インターネットを通じての複数ステーション接続等を用いて、調合性制御マネージャ７２と外部入力または出力デバイス（例えば、他のデータ入力ワークステーションおよび／またはプリンタ）との間の電子または電磁データ通信を可能にする。逆に、または、さらに、複数の調合デバイス１８は、そこに実装されたコントローラを通じて複数のデータ入力ワークステーションまたはサイトにリンクされ得る。コントローラ２０のこれらの能力は、多様な構成の完全にネットワーク化された薬剤調合を可能にする。調合制御マネージャ７２と関連してコントローラ２０によって収容され得る、双方向データ入力およびデータ閲覧プラットフォームのこれらのネットワーク化された形態（例えば、インターネット、イントラネット、またはループバック）のさらなる詳細が後述される。
【００３８】
調合手順を完了すると、オペレータは、最終溶液容器１４のインレット管４０をシールし、最終移送管スパイク４２をマニホルド３６から取り外す。少なくともいくつかの同じ源の溶液の混合物を必要とする一連の調合指示がある場合（通常、そうである）、オペレータは、新しい最終溶液容器１４のインレット管のスパイク４２をマニホルド３６に取り付け、別の調合手順を実行することによって、次の調合指示に進む。そうでない場合、オペレータは、ソース移送管３４をソース容器１６から取り外し、移送セット１２およびソース容器１６をデバイス１８との連係から除去する。移送セット１２は廃棄され得る。各最終溶液容器１４およびその調合液コンテンツは、格納、注入、輸注、またはさらなる処理のために保持される。
【００３９】
（ＩＩ．調合デバイスの技術的特徴）
図６Ａ、図６Ｂおよび図７は、調合デバイス１８の代表的な実施形態の構成の詳細を最も良く示す。示されるように、デバイス１８は、上述のように、ポンプベイ５２と電子ベイ６２とに分割されるフレーム９０を備える。ぜん動性のポンピングステーション５０のハードウェアコンポーネントはポンプベイ５２を占める。ポンピングステーション５０およびロードセル３０の電子コンポーネント、ならびにＰＰＵ６０が電子ベイ６２を占める。例えば、図４および図５に示されるケース２２は、フレーム９０と、これが支持するコンポーネントとを含む。
【００４０】
（Ａ．ぜん動性ポンピングステーション）
ポンプベイ５２の中で、ぜん動性ポンピングステーション５０は、すでに一般的に記載されたように、ぜん動性ポンポレータアセンブリ５４のアレイを備える。ぜん動性ロータアセンブリ５４の数および構成は、デバイス１８の問題点および調合要件に応じて異なり得る。例示的実施形態において（図４に示される）、９個のぜん動性ポンプレータアセンブリ５４がある。
【００４１】
示されるように（図６Ａおよび図６Ｂを参照）、各ぜん動性ポンプロータアセンブリ５４は、同じ態様で構成される。各アセンブリ５４は、フレーム９０に安全に固定されたベアリングプレート９２で支持される。ベアリングプレート９２は、駆動シャフト９４に沿って軸方向に間隔を置いた関係で連続的に構成される。駆動シャフト９４は、駆動ベルト９６および駆動プーリ９８を介して、電子駆動モータ６４の一方の端部に結合されている（図６Ａ参照）。あるいは、駆動シャフト９４は、駆動モータ６４に直接結合され得る。コントローラ２０によって調節される駆動モータ６４の動作は、所望の回転速度で駆動シャフト９４を回転させる。代表的な実装例において、駆動モータは、可変のレートで駆動シャフトを回転させる。代表的な実装例において、駆動モータは、可変レートで駆動シャフト９４を回転させ得る。各ポンプロータアセンブリ５４は、駆動シャフト９４上のベアリング１０２によって支持される駆動歯車１００を備える。従来の電磁クラッチアセンブリ６８は、各駆動歯車１００に結合される。各クラッチアセンブリ６８は、コントローラ２０に個別に結合される（図１３に示されるように）。コントローラ２０によって駆動された場合、所与のクラッチアセンブリ６８は、駆動歯車１００を駆動シャフト９４と摩擦するように結合させ、これにより、駆動歯車１００を回転させる。クラッチアセンブリ６８がコントローラ２０によって駆動されない場合、駆動シャフト９４の回転が関連した駆動歯車１００に伝えられない。
【００４２】
固定されたアイドラシャフト１０４は、ベアリングプレート９２を通って延び、駆動シャフト９４から間隔を置くか、またはオフセットされる。各ポンプロータアセンブリ５４は、アイドラシャフト１０４上のブッシング１０８で支持される駆動歯車１０６をさらに備える。駆動ギア１０６は、駆動歯車１００に個別に結合され、これにより、所与の駆動歯車１００の回転は、そのそれぞれの駆動歯車１０６に回転を伝える。この構成において、各ポンプロータアセンブリ５４は、各駆動歯車１０６と共に回転するように結合された（例えば、歯車取り付けネジ１１２によって）ポンプロータ１１０を備える。各ポンプロータ１１０は、使用の際に、移送管３４の列形噴射ポンプセグメント４６と係合するポンプローラのアレイを支持する。
【００４３】
コントローラ２０による所与のクラッチアセンブリ６８の駆動は、関連した駆動歯車１００を駆動シャフト９４に結合し、この駆動シャフトに、駆動モータ６４によって回転が伝えられ、この駆動シャフト９４は、次に、駆動歯車１０６を通じて関連したポンプロータ１１０に回転を伝える。ポンプロータ１１０の回転中に、ポンプローラ１１４は、関連したポンプセグメント４６を係合させ、良好に理解されたぜん動性ポンピング動作によって液体を、移送管３４を通して輸送する。
【００４４】
各ポンプロータアセンブリ５４は、関連したポンプロータ１１０と位置合わせされた１対の保持ブラケット１１６を備える。保持ブラケット１１６は、各ポンプセグメント４６の対向する両端部に形成されたマウント１１８と取り外し可能に嵌め合うように大きさが調整および構成される。保持ブラケット１１６は、ポンプセグメントマウント１１８と機能的に係合し、これにより、図５に示されるように、使用中に所望の動作ができるようにポンプローラ１１４と連係してポンプセグメント４６を保持する。
【００４５】
かなり詳細に後述されるように、ポンプロータアセンブリ５４の保持ブラケット１１６および移送管３４のポンプセグメントの実装１１８が、所望のように一意的にコード化され（例えば、数をマッチングさせることによっておよび／または色をマッチングさせる事によって等）、選択されたポンプロータ１１０に対して選択されたポンプセグメント４６の実装について所望の指示を促す。一意的にマッチングするコードは、さらに、関連した移送管３４のスパイク３８によって（例えば、番号付けおよび色付けされたタブ１２０によって）実行され、選択されたソース容器１６に対する移送管３４の所望の結合を促す。かなり詳細に後述されるように、調合制御マネージャ７２によって生成されたユーザインターフェースのグラフィックは、好ましくは、この一意的コードを組み込み、これにより、移送セット１２の使い捨てのコンポーネントをポンプステーション５０のハードウェアコンポーネントと、および、調合制御マネージャ７２によって提供された所望のソフトウェア機能とをマッチングさせる。
【００４６】
好ましくは、一意的にマッチングするコードは、例えば、１または２次元のバーコードを含む。この構成において、調合制御マネージャ７２は、オペレータが溶液容器および移送セット上のバーコード表示を走査する物理的行為を実行することを必要とする。ソフトウェアとハードウェアと使い捨てコンポーネントとの間の統合（ｍａｒｒｉａｇｅ）が、人間によるエラーのために、調合エラーのソースを最小化する。
【００４７】
図２Ｆに示されるように、移送セット１２は、ポンプセグメント４６とスパイク３８との間の移送管３４を１つのユニットとして所望の順序（ｏｒｄｅｒ）で捕獲するように寸法調整および構成された、成形または製造されたプラスティックのストリップを含む管オーガナイザ１２８をさらに備える。この構成において、オーガナイザ１２８は、オペレータが、１つのユニットとしてポンプセグメント４６を保持ブラケット１１６に実装することを必要とし、ポンプロータアセンブリ５４に対する移送管２４の順序は、オーガナイザ１２８によって予め決定される。オーガナイザ１２８は、さらに、移送管３４は、所望の指示で調合デバイス１８にロードされる。ことを保証する。
【００４８】
システム１０は、医師が指示する時点で開始するステップ、調合の継続、ならびに最終製品を配送および受領といった調合プロセスの各ステージでの体系的なプロセス制御を可能にする。上述のように、指示は、病院ベースの電子指示システムを介して患者の場所から受信され得る。データが電子的に受け取られると、このようなデータは、調合制御マネージャ７２に電子的に入力および伝送され得る。最終溶液容器１４は、調合プロセスに先行するステップとして自動的にラベリングされ得る。調合プロセスは、その後、ソース容器ラベリングおよびバーコードとの組み合わせで最終溶液容器１４へのラベリングを通じて制御および検証され得る。
【００４９】
（Ｂ．ポンプ制御基準）
これまで一般的に記載され、さらに詳細に後述されるように、所望の調合指示がオペレータによって入力され、コントロールパネル２４のＭＰＵ５８における調合制御マネージャ７２は調合指示を実行する。通常、調合指示は、ソース溶液および最終溶液中に混合されるべき各ソース溶液の量を（重量または体積によって）識別する。調合制御マネージャ７２は、（調合デバイス１８におけるＰＰＵ６０を通じて）個々のポンプロータアセンブリ５４を連続調合モードで動作させ、すなわち、第１のポンプロータアセンブリ５４を動作させて、所望の量の第１のソース溶液内に運び、次に、第２のポンプロータアセンブリ５４を動作させて、所望の量の第２のソース溶液を最終容器１４内に運び、所望の混合物を含むように所望の量の各ソース溶液が送達されるまでこれを続ける。
【００５０】
個々のポンプロータアセンブリ５４を制御する際に、調合制御マネージャ７２の事前プログラムされた規則は、好ましくは、事前に確立された送達精度基準を考慮に入れる。この基準は、達成されるべき調合タスクにより変動し得る。例えば、ＴＰＮに関して、送達精度基準は、０．２ｍＬ以上の成分の場合、任意の＋／−５％以上の基準であり得る。＋５％／−０％の送達精度基準は、過少充填の可能性を消去するように確率され得る。
【００５１】
調合制御マネージャ７２の事前プログラムルールは、好ましくは、送達体積を考慮に入れる送達時間基準を含む。絶対誤差を可能な限り小さくすることには、より小さい送達体積で＋／−５％以上のシステム送達精度目標を達成することが要求される。このようなより小さい絶対送達誤差は、調合制御マネージャ７２がより厳しいプロセス制御を組み込むことを必要とし、これは、より小さい送達体積の場合、ｍＬの送達ごとにより長い送達時間をもたらし得る。しかしながら、より大きい送達体積で＋／−５％以上のシステム送達精度目標を達成するためにより大きい絶対誤差が許容可能である。例えば、１０ｍＬに対する１％の誤差は、０．１ｍＬである。１０００ｍＬに対する同じ１％の誤差は１０ｍＬである。従って、調合制御マネージャ７２は、より大きい体積に対して異なったプロセス制御を設定し得、これは、より大きい送達体積の場合、ｍＬの送達ごとにより速い送達時間をもたらし得る。
【００５２】
調合制御マネージャ７２は、さらに、同じソース溶液の並行処理にも対処できる。例えば、同じソース溶液が、２つのポンプロータアセンブリ５４に存在する場合、両方のソース溶液が、並行に（同時に）ポンプされ、送達時間全体を短縮し得る。従って、連続的調合を用いて（すなわち、溶液を次々と）単一の容器に満たすために２分かかった場合、最終製品を含む溶液成分に応じて、並行調合は、この時間用件を潜在的に１分に短縮し得る。
【００５３】
調合制御マネージャ７２の事前プログラムされた規則が、ポンプ駆動モータ６４の所望の閉ループ制御を設定する。閉ループ制御は、好ましくは、従来の比例積分微分（ＰＩＤ）制御スキーマを実現して、ポンプ速度を制御し、所望の目標送達を達成する。ＰＩＤ制御スキーマは、現在の送達量と目標量との間の絶対差だけでなく、ある期間にわたって、絶対差が変化する速さも考慮に入れるポンプ集積コマンドを生成する。制御スキーマは、純粋に数学的なＰＩＤモデルを用い得るか、または、これらの制御スキーマは、「ファジーロジック（ｆｕｚｚｙ  ｌｏｇｉｃ）」技術を組み込み得、所望の流量を取得するためにモータ速度を調整する方法を決定するために、推定および補完を用いる。ファジーロジック技術の使用は、乗算および除算命令を用いることなく、モータ速度制御機能を可能にし、これにより、処理の複雑性を最小化する。
【００５４】
ある代表的実施形態において、調合制御マネージャ７２は、送達された体積と目標アプローチとの間の絶対差がプリセットされた量に近づくまで高速流量制御方式を実行する。この「減速」点において、調合制御マネージャ７２は、流量をランプ下降（ｒａｍｐ−ｄｏｗｎ）させ、低速流量制御方式を実行する。この方式の間、修正コマンドは、送達された体積と目標減衰との間の差のように連続的に小さくなる。この方式の間の流量の減少のレートは、線形または非線形であり得、非線形の減少の勾配は、凹状または凸状、あるいはこれらの組み合わせであり得る。
【００５５】
所望の実現において、調合制御マネージャ７２は、目標体積に近くなると、それぞれのポンプロータアセンブリをステップ化するか、または脈動させ、ＰＰＵ６０は、ロータ回転センサ７０と通信し得、これにより、ロータの回転は、複数のインクリメント的なセンシングステップと関連し得、ロータの回転は、次に、ロータ回転のインクリメント角度（例えば、完全な１回転（３６０度）は、５００回のインクリメント的なセンシングステップと関連し得、従って、各インクリメント的にセンシングされるステップは、０．７２度の回転である。このようにして、ＰＰＵ６０は、目標体積に近付いた場合、ポンプロータ回転の小さいインクリメント単位に対して非常に正確なポンプコマンドを生成して過剰な充填を防ぐ。
【００５６】
（ＩＩＩ．移送セットの技術的特徴）
記載する前に、典型的な調合セッションについて、通常、少なくともいくつかの同じソース溶液の混合物を必要とする一連の調合指示がある。この構成において、オペレータは、採集溶液容器１４を同じマニホルド３６と繰返し交換する。
【００５７】
これらの状況において、ソース溶液として脂肪エマルジョンを必要とする調合指示は、マニホルド３６内に残滓を残し得る。マニホルド３６内に残ったこの残滓は、体積は小さいが、脂肪エマルジョンを指定し得ない次の調合指示の最終溶液容器１４に導入され得る。意図されない残滓は、脂肪エマルジョンがないようにサポートされる調合指示の最終溶液容器１４内に、通常、「リピドヘイジング（ｌｉｐｉｄ  ｈａｚｉｎｇ）」と呼ばれるものを引き起こす。
【００５８】
図２Ｂにおいて、リピドヘイジング効果を最小にするために、使用中に、脂肪エマルジョンの運搬専用であるように意図された移送管３４’がある。すでに述べられたように、必要とされるバーコード走査と結合された固有の符号化構成は、この移送管３４’が、使用中に、ソース容器からの脂肪エマルジョンの運搬専用であることを保証するように組み込まれ得る。調合中に、脂肪エマルジョンは、他のソース溶液に先だって、最終溶液容器１４内に運ばれる。従って、脂肪エマルジョンの後の他のソース溶液の調合が、残った脂肪エマルジョンをマニホルド３６から最終溶液容器１４内にフラッシュするために利用される。
【００５９】
後続の調合は、スパイク４２がアウトレット４４から引き出される場合、マニホルド３６内に一時的真空が発生する。アウトレット４４からスパイクを引き出すことによって生成された一時的真空に対してバルブ４８が開き得、ソース溶液の小さいボーラスをマニホルド３６に引き込む。脂肪エマルジョンの残滓は、このボーラス内に含まれ得る。
【００６０】
示された構成において、脂肪エマルジョン移送管３４’と直線上にあるマニホルド３６内のバルブ４８’は、脂肪エマルジョンソース容器に結合されない移送管３４と直線上にあるマニホルド３６内の他のバルブの開放または「クラック」圧力よりも大きい、バルブ開放またはクラック圧力を有するようにサイズ調整および構成される。脂肪エマルジョン移送管３４’と一直線上にあるバルブ４８’のより大きいクラック圧力は、スパイク４２がアウトレット４４から引き出された場合に閉じられるバルブ４８’を保持するように選択される。
【００６１】
使用において（図２Ｃに示されるように）、スパイク４２は、アウトレット４４から引き出され、脂肪エマルジョン移送管３４’と一直線上にないバルブ４８のクラック圧力がより小さくなるように、アウトレット４４からスパイク４２を引き出すことによって引き出された一時的真空に応答して、これらのバルブ４８は開かれ得る。しかしながら、脂肪エマルジョン移送管３４’と一直線上にあるバルブ４８’のクラック圧力がより大きいために、バルブ４８’は、スパイク４２がアウトレット４４から引き出された場合は閉じられたままである。従って、スパイク４２が引き出され、かつマニホルド３６内に一時的真空が発生すると、マニホルド３６内に引き込まれ得るすべてのソース容器からソース溶液の小さいボーラスは、脂肪エマルジョンを含み得ない。従って、脂肪エマルジョンの残滓は、最終溶液容器１４が交換された場合、マニホルド３６内に入ることが防止される。
【００６２】
これに代わる構成において（図２Ｄおよび図２Ｅを参照）、脂肪エマルジョンの運搬専用のある移送管３４’用に利用されるぜん動性ポンプロータアセンブリ５４’は、コントローラ２０の指示（ｄｉｒｅｃｔｉｏｎ）下で回転を逆にすることができる。逆回転は、負の圧力を生成し、かつ、閉じられた一直線上の閉じられたバルブ４８’を引き込む。この構成において、コントローラ２０は、オペレータがアウトレット４４からスパイクを除去する前に、脂肪エマルジョンポンプアセンブリ５４’の逆回転を命令する。図２Ｅに示されるように、スパイク４２を除去すると、負のポンプ圧の対向力により閉じたままである脂肪エマルジョン管３４’におけるバルブ４８’以外のバルブが開き得る。上述のように、スパイク４２が除去されると、すべてのソース容器からのソース溶液のボーラスは、脂肪エマルジョンを除いて、マニホルド３６に引き入れられ得る。
【００６３】
スパイク４２の除去によって生成された真空は、スパイク４２が引き込まれると、前方方向に他のぜん動性ポンプロータアセンブリ５４を脈動することによって増強され得る。この構成において、脂肪エマルジョン移送管３４’を利用するバルブ４８’のクラック圧は、他のバルブ４８のクラック圧と異なる必要はない。
（ＩＶ．コントローラの技術的特徴）
（Ａ．調合制御マネージャ）
調合制御マネージャ７２は、コントロールパネル２４のＭＰＵ５８に常駐する。調合制御マネージャ７２は、臨床医が所与の調合プロトコルに付随する情報を入力し、閲覧し、調節し、かつ、オフロードすることを可能にする。
【００６４】
通常、調合制御マネージャ７２は、リアルタイムフィードバックとのオペレータおよびグラフィックユーザインターフェース（ＧＵＩ）要素を介する調合デバイスとのインタラクションを提供するプログラム言語である。Ｗｉｎｄｏｗｓ（登録商標）ベースのグラフィカルフォーマットで生成されるＧＵＩ要素は、調合制御マネージャ７２によって生成された様々な入力および出力を表示し、ユーザが調合制御マネージャ７２によって利用される情報を入力および調節することを可能にして、調合デバイス１８を動作させる。
【００６５】
ＧＵＩ要素を開発するために、調合制御マネージャ７２は、特定の第三者の規格品のコンポーネントおよびツールを利用し得る。一旦開発されると、調合制御マネージャ７２は、標準的なウィンドウベースのソフトウェアプログラムとしてメモリデバイスに常駐し得る。
【００６６】
図９Ａ〜９Ｗは、調合制御マネージャ７２の代表的な実施形態によって生成される表示画面のウォークスルーであり、これは、調合制御マネージャ７２の様々な特徴を示す。
【００６７】
初期スタートアップモードのソフトウェアの起動の後に、メインワーク領域がディスプレイデバイス７６に生成され、ディスプレイデバイス７６は、ログイン画面２００を最初に開く（図９Ａ）。ログイン画面２００は、バーコードスキャナを用いてオペレータバッジナンバーをスキャンするか、あるいは、グラフィカルタッチスクリーン入力パッドにバッジナンバーまたは他の選択された識別の形式を入力することによって、オペレータにオペレータ自身を識別することを促す。この識別手続きは、ログインするおよび／またはセキュリティクリアランスのオペレータのレベルを評価するために必要とされる。望ましくは、システムアドミニストレータは、既に確立された認証されたユーザのリストを有しており、このリストとサインインデータとが比較される。
【００６８】
一旦認証された識別が入力されると、ログイン画面２００は、メイン画面２０２によって置き換えられる（図９Ｂ）。メイン画面２０２は、連続的に番号が付けられたポンプステーションのデータフィールド２０４を表示する。ポンプステーションのデータフィールド２０４は、望ましくは、調合デバイスの煽動ポンプロータアセンブリ５４の左から右への配置に応じて番号が付けられる。番号はまた、望ましくは、前述されたように、調合デバイス１８の煽動ポンプロータアセンブリ５４に割り当てられたカラーコードに応じて、カラーコードが付けられる。
【００６９】
各ポンプステーションのデータフィールド２０４は、オペレータがどの溶液が配達されるべきかを識別する溶液フィールド２０６、および、その溶液フィールドがどれだけ配達されるべきかを識別する量フィールド２０８を含む。溶液フィールド２０６は、ＴＯＵＣＨ  ＴＯ  ＰＲＯＧＲＡＭ  ＳＴＡＴＩＯＮ（プログラムステーションにタッチする）を促すタッチボタン２１０を含む。プロンプトボタン２１０をタッチすることは、オペレータが、調合制御マネージャ７２によって必要とされる溶液フィールド２０６および量フィールド２０８にデータを入力することを可能にする。
【００７０】
プロンプトボタン２１０を最初にタッチすることは、溶液プログラミングボックス２１２を開く（図９Ｃ）。溶液プログラミングボックス２１２は、溶液タイプ（ＤＥＸ（グルコース）、ＡＭＩＮＯ（アミノ酸）、ＬＩＰＩＤ（脂肪乳剤）、ＬＹＴＥＳ（電解質））の特定の識別を含むか、あるいは、オペレータが別の溶液タイプ（ＯＴＨＥＲ）を指定するか、または、利用可能な溶液のリスト（ＬＩＳＴ）を求めることを可能にするタッチボタンのアレイをメイン画面２０２内に表示する。望ましくは、システムアドミニストレータは、後述されるように、メイン画面２０２のＯＰＴＩＯＮ  ＭＥＮＵ（オプションメニュー）タッチボタン２１４を用いて、以前に確立された溶液のリストを有していてもよい。溶液プログラミングボックス内の他のタッチボタンは、オペレータが溶液のリスト（ＰＲＥＶＩＯＵＳ  ＳＯＬＵＴＩＯＮ（前回の溶液）、  ＮＥＸＴ  ＳＯＬＵＴＩＯＮ（次回の溶液））をスクロールすることを可能にする。別のボタン（ＯＫ）は、識別された溶液の検証および溶液フィールド２０６のその溶液の入力を可能にするか、溶液フィールド２０６にデータ入力のない溶液プログラミングボックスに近い終了ボタン（ＣＡＮＣＥＬ）が可能にする。特定の溶液タイプ（例えば、ＤＥＸ）のボタン（図９Ｄを参照）の選択は、リストのそのタイプ（すなわち、グルコース７０％）の溶液のみを入力するか、または、様々な選択がなされる場合は（例えば、ＡＭＩＮＯを選択することによって）、溶液タイプの溶液リスティングボックス２１６を表示する。オペレータは、その溶液リスティングボックスから、その溶液タイプをタッチによって選択する（図９Ｅを参照）。
【００７１】
一旦溶液タイプが選択されると、オペレータは、溶液プログラミングボックス２１２のＯＫボタンを選択し、その溶液タイプは、ポンプステーションデータフィールド２０４の溶液フィールド２０６に現れる（図９Ｆを参照）。量プログラミングボックス２１８がまた開かれ（図９Ｆ）、溶液プログラミングボックス２１８を置き換える。量プログラミングボックス２１２は、グラフィカル数字キーパッドを含み、このグラフィカル数字キーパッドによって、オペレータは、選択された単位で表される量を入力し得る。選択された単位で表される量が、ソース溶液容器から最終の容器（例えば、ｍＬで表される体積）に、選択されたポンプステーションによって移動される。量の単位はまた、ＤＯＳＥ  ＣＡＬＣＵＬＡＴＯＲ（服用量計算機）タッチボタン２２０の利用によって指定され得る。一旦数量が入力されると、量プログラミングボックス２１８のＥＮＴＥＲ（入力）タッチボタンを押すことで、ポンプステーションデータフィールド２０４の量フィールド２０８に入力された量を入力し（図９Ｆを参照）、量プログラミングボックス２１８が閉じる。
【００７２】
ステーション制御ボックス２２２（図９Ｇを参照）はまた、ステーション番号識別アイコン２２４を押すことによって、オプションで選択され得る。ステーション制御ボックス２２２は、ソリューションフィールド２０６で識別された溶液の移動が、オペレータがＣＯＮＦＩＲＭ  ＳＯＬＵＴＩＯＮ（溶液を確認する）タッチボタン２２６を押すことによって確認されることを必要とする。ＣＯＮＦＩＲＭ  ＳＯＬＵＴＩＯＮタッチボタン２２６を押すと、溶液確認ボックス（２２８）が開く（図９Ｈ）。オペレータは、ソース溶液容器のバーコードをスキャンする（バースキャナ入力デバイス８２を用いて）ように促される。このバーコードは、例えば、溶液のタイプ、溶液のロットナンバー、およびその使用期限日を識別する。バーコードをスキャンすることによって、調合制御マネージャ７２は、検証および溶液トラッキング目的で、この情報を特定の調合オーダーにリンクする。さらに、調合制御マネージャ７２は、使用期限日制御を実装して、期限切れの溶液の利用をロックアウトし得る。バーコードスキャニング機能の調合制御マネージャ７２との統合は、ロットナンバーおよび使用期限日トラッキングならびに／あるいは調合デバイス１８の動作についての検証を統合する。
【００７３】
オペレータはまた、ポンプステーション番号に対応する固有のコーディングを有する移動チュービング３４が、バーコードがスキャンされるソース容器に結合されることを視覚的に保証し、かつ、そのポンプステーションの移動チュービング２４の固有のコードのバーコードコンポーネントをスキャンするように促される。正確なソース溶液容器１５および移動チュービング２４の確認は、バーコードをスキャンすることによって、オペレータによってなされ、溶液確認ボックス２２８の情報が更新される（図９Ｉを参照）。完全な確認が達成された後、オペレータは、溶液確認ボックス２２８のＯＫタッチボタンを押すことができる。
【００７４】
溶液フラッシュボックス２３０（図９Ｊ）はまた、ステーション制御ボックス２２２のＦＬＵＳＨステーション制御ボタンを押す（図９Ｇ）ことによってオプションで選択され得る。溶液フラッシュボックス２３０は、オペレータが、ＳＨＯＲＴ  ＦＬＵＳＨ（例えば、２秒）またはＬＯＮＧ  ＦＬＵＳＨ（例えば、５秒）を導くことを促すタッチボタンを含む。この時間に、調合制御マネージャ７２は、選択されたポンプステーションの対応する煽動ポンプロータアセンブリ５４を動作させる。ロードセル３０は、重量変化をモニタリングし、最終の容器１４に溶液への入力を指示し、（望まれる場合は）ソース溶液容器１６と最終の容器１４との間に流れの伝達が存在することを検証する。溶液フラッシュボックス２３０は、フラッシュの完了を指示し（図９Ｋを参照）、オペレータは、ＥＸＩＴタッチボタンによってメイン画面２０２に戻るように促される。フラッシュは、調合の開始の前に必要とされないが、オプションの設定ステップ時に利用可能である。
【００７５】
オペレータは、プログラミングが完了する前に、各ソース溶液および各ポンプステーションについて、上述のシーケンスに従うように促される。図９Ｌは、（ｉ）オペレータが調合制御マネージャ７２のプログラミングを完了して、１３７ｍＬの７０％グルコース（ポンプステーション１）、５４ｍＬの１５％ノバアミン（ポンプステーション２）、７７ｍＬの１０％トラバソル（ポンプステーション３）、および２１６ｍＬのステライル水（ポンプステーション９）をソース溶液容器から最終の容器へ混合し、（ｉｉ）オペレータがまた、適切なソース溶液および移動チュービング設定が存在することを各ポンプステーションについて検証した後の、メイン画面２０２を示す。図９Ｌが示すように、メイン画面２０２は、各ポンプステーションボックス２０４のそれぞれのフィールド２０６および２０８に溶液および量をリスト化し、さらに、オペレータにハイライトされたＳＴＡＲＴ（開始）タッチボタン２３２を押すように促す。ＳＴＡＲＴタッチボタンの選択時に、調合が、複合制御マネージャ７２の制御下で直ちに開始する。オペレータがＳＴＡＲＴボタン２３２を押した時に、１つ以上のソース溶液が確認されなかった場合、調合制御マネージャ７２は、自動的に、調合の開始が可能になる前に、オペレータに各残りのソース溶液を確認するように促す。ＳＴＡＲＴタッチボタン２３２は、全ての必要とされる予備ステップが満足に完了するまで、調合制御マネージャ７２によってイネーブルされない。
【００７６】
あるいは、オペレータは、メイン画面２０２のＡＵＴＯ  ＰＧＭタッチボタン２３２を選択し得る（図９Ｌを参照）。これは、システムアドミニストレータによって確立されるプログラミングされたスケジュールキューのリストを表示するキュー選択画面２３６（図９Ｐ）を開く。オペレータは、所望のキューを選択し、キュー選択画面３３６のＥＮＴＥＲ（入力）タッチボタンを押す。調合制御マネージャ７２は、メモリにオーダーキューリストを保持し、メイン画面２０２（図９Ｑを参照）は、オペレータが、１度に１つ、キューボックス２３８の現在のオーダーキューリストを閲覧するのを可能にする。この構成では、オペレータは、メイン画面２０２のプログラミングされたオーダーキューリストからオーダーを選択し、調合を開始する。あるいは、オペレータは、調合される最終の溶液容器のバーコードをスキャンし得る。調合制御マネージャ７２は、この最終の容器の調合オーダーをアップロードおよび提示する。
【００７７】
調合が進むにつれ、調合制御マネージャ７２は、（インクリメントすることによって）番号ＴＯＴＡＬ  ＤＥＬＩＶＥＲＥＤフィールド２４０およびメイン画面２０２のそれぞれのポンプステーションフィールド２０４の量フィールド２０８（図９Ｍ）を更新し、いくつかのソース容器１６から最終の容器１４への液体の連続的移動を示す。図９Ｍでは、ポンプステーション１、２、および３はプログラムされている。ステーション１は、そのポンピングを完了している（所望の１３８ｍＬを配達している）。ステーション３は、ポンピングを開始している（３８ｍＬをポンピングしている）。ステーション９は、開始を待っている。ＴＯＴＡＬ  ＤＥＬＩＶＥＲＥＤ（全ての配達された）フィールド２４０は、１７６ｍＬを示し、１７６ｍＬは、ポンプステーション１、２、および３によってポンピングされた量の現在の合計である。ＰＵＭＰＩＮＧ（ポンピング）アイコン２４２は、調合が進行中であることを示すように図示されている。オペレータは、所望であれば、図示されるＳＴＯＰ（停止）タッチボタン２４４を押すことによって調合を終了させ得る。
【００７８】
調合の過程で、ロードセル３０が最終の容器１４への液体移動がないことを示す場合、調合制御マネージャ７２は、ポンピングアラームを発生させる。調合制御マネージャ７２は、このアラーム条件が発生するときに、調合手続きを中断する。調合制御マネージャ７２は、ポンピングアラーム画面２４６を開く（図９Ｎ）。ＩＮＴＥＲＲＵＰＴＥＤ（中断された）アイコン２４８はまた、調合が進行していないことを示すように図示されている。情報フィールド２５０は、アラーム条件に属する情報を表示する。情報フィールド２５０は、オペレータが正しいアクションを取るように促し、ＲＥＳＵＭＥ（再開）タッチボタン２５２を押すことによって、再び調合を開始する。
【００７９】
調合が完了している場合、調合制御マネージャ７２は、情報フィールド２５０のＣＯＭＰＬＥＴＥ（完了）メッセージを表示し（図９Ｏ）、オペレータが最終の容器１４を取り除くように促す。
【００８０】
オペレータは、調合制御マネージャ７２を再プログラムし、上記のステップのシーケンスに従うことによって、別の調合体積を実行し得る。
【００８１】
メイン画面２０２には、様々なサポート機能を実行するために利用され得る他のグラフィカルボタンが存在する（図９Ａ）。例えば、ＯＰＴＩＯＮ  ＭＥＮＵ（オプションメニュー）タッチボタン２１４を押すことによって、オプションメニュー画面が表示される（図９Ｒ）。オプションメニュー画面は、オペレータが、管理機能のリストの中から選択するように促し、このリストは、示される実施形態では、ＲＥＰＥＡＴ  ＬＡＳＴ  ＯＲＤＥＲ（最後のオーダーを繰り返す）、ＯＲＤＥＲ  ＨＩＳＴＯＲＹ（オーダー履歴）、ＳＥＴＴＩＮＧＳ  ＡＮＤ  ＤＩＡＧＮＯＳＴＩＣＳ（設定および診断）、ならびにＳＩＧＮ  ＯＦＦ（サインオフ）を含む。ＲＥＰＥＡＴ  ＬＡＳＴ  ＯＲＤＥＲボタンを押すことで、自動的に、調合制御マネージャが最も最近のオーダーに従って調合を行うように設定する。ＯＲＤＥＲ  ＨＩＳＴＯＲＹボタンを押すことで、オーダー履歴画面を表示し（図９Ｓ）、オーダー履歴画面は、調合制御マネージャ７２によって実行された調合オーダーをリスト化する。これらの調合オーダーは、調合制御マネージャ７２によってメモリに維持される。ＳＥＴＴＩＮＧＳ  ＡＮＤ  ＤＩＡＧＮＯＳＴＩＣＳボタンを押すことで、設定および診断画面２６０を表示し（図９Ｔ）、設定および診断画面２６０は、上述のように、溶液プログラミングボックス２１２の利用可能なソース溶液のリストを確立することなど（図９Ｄおよび図９Ｅ）、システムアドミニストレータが実行し得る付加的な管理機能を表示する。他の付加的な管理機能は、この画面を介してアクセスされ得る。ＳＩＮＧ  ＯＦＦボタンを押すことで、新しいログイン画面を表示し、調合制御マネージャ７２は、オペレータからの新しいオーダーシーケンスを待つ。
【００８２】
図示される実施形態では、メイン画面２０２はまた、ＣＡＬＩＢＲＡＴＥ  ＳＣＡＬＥ（較正スケール）タッチボタン２６２を含む（図９Ａ）。押されると、ボタン２６２は、命令画面を開き（図９Ｗ）、命令画面は、ロードセルを較正するステップのシーケンスを介してオペレータを導く。
【００８３】
ＨＥＬＰ（ヘルプ）アイコン２６４がまた、メイン画面２０２に表示される（クエスチョンマークによって識別される−−？）。メイン画面２０２のＨＥＬＰアイコン２６４を押すことで、メイン画面のヘルプ画面２６６が開き（図９Ｕ）、メイン画面のヘルプ画面２６６は、通常、調合制御マネージャ７２に属する利用可能なヘルプトピックスのリスト、および調合デバイス１８の動作を表示する。望ましくは、ＨＥＬＰアイコン２６４はまた、調合制御マネージャ７２によって生成される全ての他の機能画面またはボックスに存在する（例えば、図９Ａ、９Ｅ、９Ｈ、９Ｐを参照）。任意の所与の画面のＨＥＬＰアイコン２６４を押すことで、内容を感知するヘルプ画面２６８を開き、この画面は、所与の画面が実行する特定の機能に付随するガイダンスを提供する。例えば、図９Ｖは、ポンプアラーム画面２４６のＨＥＬＰアイコン２６４（図９Ｎ）が押されたときに開く、内容を感知するヘルプ画面２６８を示す。示されるように、ないように特定のヘルプトピックは、ＮＯ  ＳＯＬＵＴＩＯＮ  ＦＬＯＷ  ＡＬＡＲＭ（溶液の流れのアラームなし）であり、この画面は、アラーム条件を訂正する命令を提供する。
【００８４】
望ましい実装例では、調合制御マネージャ７２は、その事前にプログラミングされた構造内に、例えばＭＰＥＧフォーマットのトレーニングおよび／またはヘルプビデオファイルの統合された選択を組み込む。この統合されたトレーニングおよび／またはヘルプビデオファイルは、フォーマットされた事前にテープ録音録画されたビデオ映像（ｆｏｏｔａｇｅ）およびストリーミングオーディオを含む。表示画面７６の調合制御マネージャ７２によって提示される場合に、ファイルは、直接視聴的および聴覚的方法でオペレータと情報を通信する。この通信のプラットフォームは、調合制御マネージャ７２の統合された部分を形成し、オペレータに、内容に特定の情報へのダイレクトかつリアルタイムのアクセスを提供して、オフラインのトレーニングマニュアルまたは別個のＣＤに頼る必要性を排除する。
【００８５】
代表的な実装例では、メイン画面２０２のＨＥＬＰアイコン２６４を押すことで、メイン画面ビデオトレーニング／ヘルプ画面２７０を開く（図１４Ａ）。画面２７０は、通常、調合制御マネージャ７２および調合デバイス１８の動作に属する利用可能なトレーニング／ヘルプトピックのリストを表示する。この画面は、ＭＰＥＧ表示領域２７２を組み込み２７０、ＭＰＥＧ表示領域２７２では、調合制御マネージャ７２のトレーニングおよび／またはヘルプビデオファイルが表示される。命令／ヘルプトピックを選択することで、関連するＭＰＥＧファイルが実行する。
【００８６】
例として、図１４Ｂ（１）〜図１４Ｂ（８）は、「調合物をプログラミングする。」ためのトレーニング／ヘルプビデオからの代表的な画面キャプチャを示す。関連するストリーミングサウンドファイルによる、トレーニング／ヘルプビデオは、調合制御マネージャ７２のグラフィカルユーザインターフェースを用いて、オペレータに調合オーダーを入力するステップを介して歩かせる。これらのステップは、図９Ｂから図９Ｆを参照して、前述された。トレーニング／ヘルプビデオは、第１のステップがソース溶液を識別する（図１４Ｂ（２））ことであり、次に進んで（図１４Ｂ（３））、視覚的および聴覚的命令によって、Ｓｏｌｕｔｉｏｎ  Ｐｒｏｇｒａｍｍｉｎｇ  Ｂｏｘ（溶液プログラミングボックス）２１２を用いる手続きを進めることである（図９Ｃおよび図９Ｄに関連して前述された）ことを説明する。トレーニング／ヘルプビデオは、次のステップが溶液の体積を決定する（図１４Ｂ（４））ことであり、次に進んで（図１４Ｂ（５）〜図１４Ｂ（７））、視覚的および聴覚的命令によって、Ａｍｏｕｎｔ  Ｐｒｏｇｒａｍｍｉｎｇ  Ｂｏｘ（量プログラミングボックス）２１８を用いる手続きを進めることである（図９Ｆに関連して前述された）ことを説明する。トレーニング／ヘルプビデオは、オペレータがプログラミング手続きの達成を成功するように設定することによって、終了する（図１４Ｂ（８））。
【００８７】
ここまでで理解され得るように、調合制御マネージャ７２は、画面を混雑させすぎることなく、可能な限り１つの画面に多くの情報／制御を提示する、インタラクティブなユーザおよびインターフェースを発生させる役割を果たす。特に、これらの特徴は、（ｉ）ユーザの入力ポイントに非常に焦点を当て、かつ、大きなディスプレイおよびキーパッド領域を利用することによって、ユーザの入力エラーを最小化すること、（ｉｉ）経験のあるユーザのキーストロークを最小化すること、（ｉｉｉ）経験のないユーザに対して可能な限り多くのヘルプを提供すること、ならびに（ｉｖ）「スマートヘルプ」を利用可能にすることによって、サービスの呼び出しを最小化することである。
【００８８】
調合制御マネージャ７２は、ダイレクトソフトウェアプロセス制御下で、重力測定の調合デバイス１８の動作を可能する一方で、プロセス品質制御メカニズムとしてバーコードを利用する。
【００８９】
（Ｂ．オーダー入力プロセスマネージャ）
オーダー入力プロセスマネージャ８４は、コントローラ２０にリンクされたコントローラ２０のＭＰＵ５８に、および／または、別のワークステーションにインストールされ得る。オーダー入力プロセスマネージャ８４は、調合制御マネージャ７２の向上したオーダー入力機能の並びを提供する。オーダー入力プロセスマネージャ８４はまた、患者ごとに、情報管理機能およびラベル印刷機能を提供し、簡略化されかつ整備されたオーダーデータレコード格納および制御を可能にする。この機能は、調合デバイス１８の調合制御マネージャ７２に対するオーダーデータの通信と一体化され、それにより、エラーを最小化する信頼性のある様式で、セットアップ、動作、および調合システム全体の管理を促進する。オーダー入力プロセスマネージャ８４は、中央集中型または分散型オーダーデータ入力、オーダーデータ格納、オーダーデータ操作、およびオーダーデータ通信システムを可能にする。
【００９０】
オーダーデータ入力プロセスマネージャ８４は、望ましくは、キーボード／マウスデバイス７８を介してデータ入力を受け取り、コントロールパネル２４の表示画面７６を介してか（図８Ａに示される）、または、専用のディスプレイデバイス３００を介して（図８Ｂから図８Ｆに示される）データ出力を提供する。オーダー入力プロセスマネージャ８４はまた、望ましくは、レポートを提供し、かつ、ペーパー形式でラベリングするプリンタ３０２にリンクされる。
【００９１】
オーダー入力プロセスマネージャ８４は、専用のユーザインターフェースを生成するように開発され得る（調合制御マネージャ７２のように）。しかし、望ましくは、オーダー入力プロセスマネージャ８４は、例えば、Ａｐａｃｈｅ（登録商標）またはＪａｖａ（登録商標）動作環境を用いて、グラフィックベースの環境（例えば、Ｗｉｎｄｏｗｓ（登録商標）、Ｌｉｎｕｘ（登録商標）等）で開発される。これらの動作環境は、Ｍｉｃｒｏｓｏｆｔ（登録商標）  Ｉｎｔｅｒｎｅｔ  Ｅｘｐｌｏｒｅｒ、Ｎｅｔｓｃａｐｅ（登録商標）  Ｎａｖｉｇａｔｏｒまたは等価なパブリックにアクセス可能なブラウザ等、従来のウェブサーバまたはブラウザソフトウェア８６に関連付けて利用され得る。この構成では、オーダー入力プロセスマネージャ８４は、望ましくは、オペレータに、ブラウザベースのグラフィックユーザインターフェース（ＧＵＩ）要素を介するリアルタイムのフィードバックおよび調合デバイスのコントローラ２０とのインタラクションを提供する、プログラム言語を含む。ブラウザベースのＧＵＩ要素は、オペレータが、調合制御マネージャ７２によって利用される情報を入力および調節して、調合デバイスを動作させることを可能にする。これは、調合デバイスの専用の調合制御マネージャ７２が、従来のブラウザデータ入力および出力プラットフォームの１つ、いくつか、またはネットワーク全体とリンクすることを可能にする。このネットワークは、単一のローカルサイトまたはリモートサイトのネットワークを含み得る。この態様で実装される場合、オーダー入力プロセスマネージャ８４は、ネットワーク機器機能を可能にし、それにより、認証されたオペレータがなすべき全てのことは、ブラウザを調合デバイス１８のＭＰＵ５８と接続させて、調合デバイス１８を制御することを可能にすることである。ネットワーク機器機能は、調合デバイス１８のユーザビリティおよびフレキシビリティを著しく向上させる。
【００９２】
ブラウザベースのＧＵＩ要素を開発するために、オーダー入力プロセスマネージャ８４は、Ａｐａｃｈｅ（登録商標）またはＪａｖａ（登録商標）動作環境等で利用可能な特定の第三者の規格品のコンポーネントおよびツールを利用する。一旦開発されると、オーダー入力プロセスマネージャ８４は、メモリデバイスにソフトウェアプログラムとして常駐し得る。オーダー入力プロセスマネージャ８４は、ブラウザを実行させて、異なるオーダー入力プラットフォームを提供し得るラップトップまたはデスクトップワークステーションコンピュータ、ＰＤＡデバイス、または任意の他のデバイスによってアクセスされ得る。
【００９３】
（Ｃ．調合制御マネージャとの関連）
オーダー入力プロセスマネージャ８４およびブラウザソフトウェア８６は、調合デバイス１８のコントローラ２０にインストールされた調合制御マネージャ７２との種々の異なる関連を収容する。
【００９４】
基本の形式（図８Ａを参照）では、オーダー入力プロセスマネージャ８４およびブラウザソフトウェアは、調合デバイス１８のコントロールパネル２４のＭＰＵ５８にインストールされ。単一のコントロールパネルを構成し得る。この構成では、コントロールパネル２４のディスプレイデバイス７６は、調合デバイスへのオーダー入力およびラベル印刷のために、オーダー入力プロセスマネージャ８４のブラウザベースのインターフェースをサポートし、かつ、調合デバイスの動作中に、調合制御マネージャ７２の専用のタッチスクリーンインターフェースをサポートする。
【００９５】
別の構成（図８Ｂを参照）では、ブラウザソフトウェア８６は、調合デバイス１８と同一の設備に配置されるデータ入力ワークステーションにインストールされ得る。データ入力ワークステーション３０４は、調合デバイス１８の近くに配置され得るか、または、設備内の調合デバイスから物理的に分離され得る。この構成では、データ入力ワークステーション３０４のブラウザソフトウェア８６は、例えば、ハブのないローカルエリアネットワーク接続を介して、調合デバイス１８のコントロールパネル２４のＭＰＵ５８に常駐するオーダー入力プロセスマネージャ８４にリンクされ、単一のデータ入力ステーション設定を構成する。この構成では、データ入力ワークステーション３０４のディスプレイデバイス３００は、調合デバイスへのオーダー入力およびラベル印刷のために、オーダー入力プロセスマネージャ８４のブラウザベースのインターフェースをサポートする。コントロールパネル２４のディスプレイデバイス７６は、調合デバイス１８の動作中に、調合制御マネージャ７２の専用のタッチスクリーンインターフェースをサポートする。
【００９６】
別の構成（図８Ｃを参照）では、ブラウザソフトウェア８６は、調合デバイス１８と同一の設備に配置されたいくつかのデータ入力ワークステーション３０４にインストールされ得る。データ入力ワークステーション３０４のブラウザソフトウェア８６は、例えば、ローカルエリアネットワークとしてのハブ３０６またはスイッチを介して、調合デバイス１８のコントロールパネル２４のＭＰＵ５８に常駐するオーダー入力プロセスマネージャ８４にリンクされ、複数のデータ入力ステーション設定を構成し得る。この構成では、各データ入力ワークステーション３０４のディスプレイデバイス３００は、調合デバイス１８へのオーダー入力およびプリンタ３０２によるラベル印刷のために、オーダー入力プロセスマネージャ８４のブラウザベースのインターフェースをサポートする。それにより、単一の調合デバイス１８は、いくつかのオーダー入力ワークステーション３０４にリンクされる。調合デバイス１８のコントロールパネル２４のディスプレイデバイス７６は、調合デバイスの動作中に、調合制御マネージャ７２の専用のタッチスクリーンインターフェースをサポートする。
【００９７】
別の構成（図８Ｄを参照）では、ブラウザソフトウェア８６は、いくつかの調合デバイス１８と同じ施設に配置されたいくつかのデータエントリワークステーション３０４にインストールされてもよい。データエントリワークステーション３０４のブラウザソフトウェア８６は、例えば、サーバ３０８を介してリンクされて、イントラネット施設ネットワーク３１０を形成し、いくつかの調合デバイス１８のコントロールパネル２４のＭＰＵ５８に常駐しているオーダーエントリプロセスマネージャ８４は、ハブ３１２を介してサーバ３０８にリンクされて、完全にネットワーク化されたデータエントリ、複数の調合ステーションコンフィグレーションを構成する。この構成では、各データエントリワークステーション３０４のディスプレイデバイス３００は、調合デバイス１８へのオーダーエントリおよびプリンタ３０２によるラベル印刷のために、オーダーエントリプロセスマネージャ８４のブラウザベースインタフェースをサポートする。これにより、複数の調合デバイス１８は、複数のオーダーエントリワークステーション３０４にリンクされ得る。各調合デバイス１８のコントロールパネル２４におけるディスプレイデバイス７６は、各調合デバイスの動作中に、調合コントロールマネージャ７２の専用タッチスクリーンインタフェースをサポートする。図８Ｄに示されるように、ブラウザソフトウェアは、ＰＤＡデバイス３１４、およびブラウザを作動させることができる任意の他のデバイスにインストールされて、異なるオーダーエントリプラットフォームを提供してもよい。
【００９８】
別の構成（図８Ｅを参照）では、ブラウザソフトウェア８６は、１つ以上の調合デバイス１８が設置された別の施設３１８から遠隔にあるデータエントリ施設３１６に配置された１つ以上のデータエントリワークステーション３０４にインストールされてもよい。遠隔データエントリ施設３１６における１つ以上のデータエントリワークステーション３０４のブラウザソフトウェア８６は、パブリックインターネット３２０を介して、遠隔調合施設３１８における調合デバイス（単数または複数）１８のコントロールパネル（単数または複数）２４のＭＰＵ（単数または複数）５８に常駐しているオーダーエントリプロセスマネージャ８４にリンクされ得る。もちろん、遠隔リンケージの他の形式が用いられてもよい。ブラウザソフトウェア５６は、独立で、または、遠隔ワークステーション３０４へのインストールと共に、ローカル調合施設３１８の１つ以上のデータエントリワークステーション３０４にインストールされてもよい。ブラウザソフトウェア５６は、さらに、パブリックインターネット３２０を介して調合デバイス（単数または複数）１８のコントロールパネル（単数または複数）２４のＭＰＵ（単数または複数）５８でオーダーエントリプロセスマネージャ８４にリンクされてもよい。施設３１６および３１８が共通の動作エンティティの一部である場合、オーダーエントリプロセスマネージャ８４およびブラウザソフトウェア５６は、データエントリ施設３１６とデータ調合施設３２２との両方に遠隔であるデータセンター施設３２２に配置されたデータ収集／管理ワークステーション３０４にインストールされてもよい。データセンター３２２は、患者情報および調合施設３１８用の調合リソースの情報データベース３２４を保管し、さらに、パブリックインターネット３２０を介してデータエントリ施設３１６および調合施設３１８にリンクされる。
【００９９】
図８Ｅに示される構成の改変（図８Ｆを参照）では、パブリックインターネット３２０を介して、ホストデータエントリサービス施設３２６（ここに、オーダーエントリプロセスマネージャ８４がインストールされている）が１つ以上の遠隔データエントリ施設３２８Ａ，３２８Ｂ，３２８Ｃ，３２８Ｄに接続され得る。このホストデータエントリサービス施設３２６は、さらに、パブリックインターネットによって仮想プライベートネットワーク３２８を介して、遠隔調合施設３３０（ここでは、調合コントロールマネージャ７２は、調合デバイス１８のコントロールパネル２４におけるＭＰＵ５８にインストールされている）にリンクされてもよい。ブラウザソフトウェア８６は、遠隔データエントリ施設３２８Ａ〜３２８Ｄに配置されたデータエントリワークステーション３０４にインストールされる。ホストデータエントリサービス施設３２６は、全ネットワークのために、データ収集および管理データベース３３２を保管する。この様態で、複数のオーダーエントリ施設３２８Ａ〜３２８Ｄが中間のサービス施設３２６（このサービス施設３２６は、また、中央収集および管理データベース３３２を保管してもよい）を介して１つの調合施設３３０にリンクされてもよい。
【０１００】
（Ｂ．オーダーエントリプロセスマネージャの機能）
図１０Ａは、オーダーエントリプロセスマネージャ８４の代表的な実装例が保有し得る、オペレータが選択可能な機能別モジュールの一般的な概略図を示す。図示されるように、これらの機能別モジュールは、処方オーダーモジュール４００、ソース溶液モジュール４０２、レポートモジュール４０４、管理モジュール４０６、およびナビゲーションモジュール４０８を含む。処方オーダーモジュール４００によって、オペレータは、先に存在する化合物式または新しい化合物式を参照して、所与の患者に対する処方オーダーを入力し、かつ、調合のオーダーをスケジューリングすることが可能となる。ソース溶液モジュール４０２は、処方オーダーモジュール４００の化学式ライブラリにおいて相互参照される利用可能なベースソース溶液および添加物ソース溶液の在庫目録を保管する。レポートモジュール４０４は、調合アクティビティを追跡して、これらのアクティビティに関する様々な管理レポートを生成する可能性をオペレータに提供する。管理モジュール４０６は、調合アクティビティをサポートする様々な管理タスクの性能があるという点でオペレータに役に立つ。ナビゲーションモジュール４０８は、オーダーエントリプロセスマネージャ８４を用いるオペレータを支援する。各モジュールは、以下に詳細に説明するように、モジュールを用いる際にオペレータが選択可能である１つ以上の機能別コンポーネントを含む。
【０１０１】
所与のオペレータは、システム管理者が所与のオペレータに許可を出したアクセスオプション（これらのアクセスオプションは、実行するためにオペレータが必要とされる機能に基づく）に基づいて、これらの機能別モジュールの１つ以上へのアクセス得ることが可能である。例えば、アクセスオプションの階層は、医師または薬剤師（それらが調合オーダーを特定する、または入力する）、調合アクティビティ管理者（それらの機能は、管理の観点から調合機能を監督することである）、ならびに、調合技術者（それらの機能は、１つ以上の調合デバイス１８を動作させることである）によって用いられるために特定され得る。利用可能な機能別モジュールは、メインスクリーンまたはホームページ上にメニューボックスの選択肢として表示され得る。このメインスクリーンまたはホームページは、一度、所与のオペレータが適切なログ−オンスクリーン上で名前および割り当てられたパスワードによってオペレータ自身を特定すると、開く。
【０１０２】
例えば、図１１Ａは、医師または薬剤師アクセスオプションを有するオペレータ用の代表的なメインスクリーンまたはホームページ４１０を示す。図１１Ａが示すように、全ての機能別モジュール４００〜４０８がこのアクセスレベルの選択に対して利用可能である。なぜなら、医師または薬剤師の職務の性質がオーダーエントリプロセスマネージャ８４の全ての機能へのアクセスを必要とし得るからである。例えば、図１１Ｂと比較する。図１１Ｂは、選択肢がより少ない機能別モジュールへのアクセス（なぜなら、技術者の職務は、オーダーエントリプロセスマネージャ８４の全ての機能別機能へのアクセスを必要としないからである）を提供する、調合技術者用の代表的なメインスクリーンまたはホームページ４１０’を示す。所与の個人がアクセスし得る機能別モジュールメニューボックスが、オーダーエントリプロセスマネージャ８４によって生成された他のスクリーンの左サイドにある列に現れ得る。
【０１０３】
オペレータが医師または薬剤師アクセスレベルにあり、図１１Ａに示されたホームページを閲覧していると仮定すると、オペレータは、マウスクリックを用いて、所望の機能別モジュールを選択し得る。オペレータが所与の患者に対する処方オーダーを入力しようとしていることを仮定すると、ＰＲＥＳＣＲＩＰＴＩＯＮ  ＯＲＤＥＲ（処方オーダー）メニューボックス４００のＰａｔｉｅｎｔｓ（患者）コンポーネント上をマウス−クリックし、図１１Ｃに示されるＰＡＴＩＥＮＴ  ＭＡＩＮ  ＰＡＧＥ（患者メインページ）４１２を開く。このウィンドウ４１２は、オーダーエントリプロセスマネージャ８４のＰａｔｉｅｎｔ  Ｄａｔａ  Ｂａｓｅ  Ｃｏｍｐｏｎｅｎｔ（患者データベースコンポーネント）４１４の機能へのアクセスを提供する。それらの機能別ユニットは、図１０Ｂに概略的に示される。
【０１０４】
Ｐａｔｉｅｎｔ  Ｄａｔａ  Ｂａｓｅ  Ｃｏｍｐｏｎｅｎｔ（患者データベースコンポーネント）４１４によって、ユーザは、オーダーエントリプロセスマネージャ８４によって保管された患者情報データベースに作成された患者情報ファイルのリストを名字検索することによって既存の患者を選択することが可能であるし（ＦＩＮＤ  Ａ  ＰＡＴＩＥＮＴ（患者検索）ボックスフィールド４１６）、あるいは、新規の患者名を入力することも可能である（ＥＮＴＥＲ  ＮＥＷ  ＰＡＴＩＥＮＴ（新規患者入力）ボックスフィールド４１８）。
【０１０５】
既存の患者名を見つけると、オーダーエントリプロセスマネージャ８４は、対応する患者情報記録４２０（図１１Ｄ）の内容を表示するウィンドウを提供する。この患者情報記録４２０によって、オペレータは、その患者用の患者データベースに保持された以前の調合オーダーに基づいて、新規の調合オーダーを入力することが可能である（ＴＰＮ  ＯＲＤＥＲＳ  ＯＮ  ＦＩＬＥ  ＦＯＲ  ＰＡＴＩＥＮＴ（患者のファイルのＴＰＮオーダー）ボックスフィールド４２２）。あるいは、この患者記録調合オーダー４２０によって、オペレータは、患者が合致する患者タイプの標準デフォルトテンプレートに基づいて、その患者用の新しい調合オーダーを入力することも可能である（ＮＥＷ  ＴＰＮ  ＯＲＤＥＲ  ＴＥＭＰＬＡＴＥＳ  ＡＶＡＩＬＡＢＬＥ  ＦＯＲ  ＳＴＡＮＤＡＲＤ  ＡＤＵＬＴ
ＰＡＴＩＥＮＴ  ＴＹＰＥ（標準的成人患者タイプに利用可能な新規のＴＰＮオーダーテンプレート）ボックスフィールド４２４）。
【０１０６】
ＰＲＥＳＣＲＩＰＴＩＯＮ  ＯＲＤＥＲ  ＭＥＮＵ（処方オーダーメニュー）ボックス４００は、Ｆｏｒｍｕｌａ  Ｌｉｂｒａｒｙ（化学式ライブラリ）コンポーネントを含む。これが選択されると、Ｆｏｒｍｕｌａ  Ｌｉｂｒａｒｙ（化学式ライブラリ）コンポーネントは、オーダーエントリプロセスマネージャ８４の化学式ライブラリデータベースコンポーネント４２６の機能へのアクセスを提供し、それらの機能ユニットは、図１０Ｃに概略的に示される。化学式ライブラリコンポーネントを選択すると、図１１Ｆ（１）に示されるＦｏｒｍｕｌａ  Ｌｉｂｒａｒｙ（化学式ライブラリ）ウェブページ４３２が開かれる。このＦｏｒｍｕｌａ  Ｌｉｂｒａｒｙ（化学式ライブラリ）ウェブページ４３２によって、オペレータは、患者情報記録ページ４２０の表示および選択用の既存のデフォルト化学式テンプレートを選択することを許可される。あるいは、オペレータは、患者情報記録への表示のための新しい化学式テンプレートを追加することを許可される。テンプレートを選択することにより、図１１Ｆ（２）、１１Ｆ（３）および１１Ｆ（４）に示されるスクロール可能なオーダーテンプレートウェブページ４３４が開かれる。これにより、オペレータは、テンプレート化学式用のベースコンポーネント（種類および量）および添加剤溶液（種類および量）を特定することが可能となる。既存のテンプレート化学式のデフォルトデータは、また、変更されて、提出されてもよい。以下により詳細に説明されるように、オーダーエントリプロセスマネージャ８４は、選択された種類および量のベースコンポーネントおよび添加剤に応じて、ソース溶液モジュール４０２に含まれたデータを頼りにテンプレート化学式の栄養所要量を計算する。
【０１０７】
マウスクリックが患者情報記録上のオーダーオプション４２２または４２４のうちのいずれかを選択することによって、スクロール可能なオーダーエントリウィンドウ４３６が開かれる（図１１Ｅ（１）〜図１１Ｅ（４））。このオーダーエントリウィンドウ４３６は、ＰＲＥＳＣＲＩＰＴＩＯＮ  ＯＲＤＥＲ（処方オーダー）（ボックス４３８）、オーダー（種類および量）に含まれるＢＡＳＥ  ＣＯＭＰＯＮＥＮＴＳ（ベースコンポーネント）（ボックス４４０）、オーダー（種類および量）に含まれるＡＤＤＩＴＩＶＥＳ（添加物）（ボックス４４２）、（オーダーに含まれるベースコンポーネントおよび添加剤の種類および量に基づく）ＮＵＴＲＩＴＩＯＮＡＬ  ＳＵＭＭＡＲＹ（栄養の要旨）（ボックス４４４）、および、（後述される）ＯＲＤＥＲ  ＳＴＡＴＵＳ（オーダーステータス）（ボックス４４６）の詳細を含むフィールドボックスを含む。ＢＡＳＥ  ＣＯＭＰＯＮＥＮＴＳ（ベースコンポーネント）およびＡＤＤＩＴＩＶＥ（添加物）フィールドボックス４４０および４４２の溶液および溶液量のデフォルトリスト項目は、患者情報記録４２０上の選択肢に基づいて、以前のオーダーまたは標準テンプレートのオーダーを基礎として提供される。デフォルトＢＡＳＥ  ＣＯＭＰＯＮＥＮＴＳ（ベースコンポーネント）およびＡＤＤＩＴＩＶＥＳ（添加物）は、以前のオーダー、あるいはテンプレートタイプおよび／または量を変更するように編集され得る。あるいは、それらは、変更することなく提出され得る。オーダーエントリプロセスマネージャ８４は、ベースコンポーネントならびに添加剤の選択された種類および量に応じて、ソース溶液モジュール４０２に含まれたデータを頼りにＮＵＴＲＩＴＩＯＮＡＬ  ＲＥＱＵＩＲＥＭＥＮＴＳ（栄養要件）（ボックス４４４）を計算する。
【０１０８】
オペレータは、患者メインウェブページ４１２（図１１Ｃ）上のＥＮＴＥＲ  Ａ  ＮＥＷ  ＰＡＴＩＥＮＴ（新規患者の入力）フィールドボックス４１８を選択することによって、オーダーエントリウィンドウ（図１１Ｅ（１）〜図１１Ｅ（４））を開いて、新規の患者（すなわち、患者データベースに以前に入力されていない患者）に対する調合オーダーを入力可能である。これを選択することにより、オーダーエントリプロセスマネージャ８４は、新規患者ウェブフォ−ム４４８を表示するウィンドウ（図１１Ｇ（１）および１１Ｇ（２））を開き、オペレータが新規患者に関するデータをエントリすることを助長する。新規患者情報をエントリすると、オペレータは、情報を患者データベースに保存する（図１１Ｇ（２）に示されるＵＰＤＡＴＥ（更新）フィールドボックス４５０を選択する）。この時点で、スクロール可能なオーダーエントリウィンドウ４３６が調合オーダーのエントリ用に開かれる（図１１Ｅ（１）〜図１１（４））。
【０１０９】
オーダーエントリウィンドウ４３６（図１１Ｅ（４））の最後のスクリーンは、ＯＲＤＥＲ  ＳＴＡＴＵＳ（ステータスのオーダー）ボックス４４６を含む。ＯＲＤＥＲ  ＳＴＡＴＵＳ（ステータスのオーダー）ボックス４４６は、オーダーエントリと、患者への調合オーダーの伝達との間で実行される必要のある調合動作の機能別ステップのリスト項目を含む。ＯＲＤＥＲ  ＳＴＡＴＵＳ（ステータスのオーダー）ボックス４４６はまた、ステップを色付けするか、強調するかし、どのステップが実行されて、どのステップが実行されるために残っているかを示す。ＯＲＤＥＲ  ＳＴＡＴＵＳ（ステータスのオーダー）ボックス４４６は、調合処理を進めるために実行される必要のある機能のチェックリストを提供し、一目見ただけで、オペレータは、どの機能が実行されて、どの機能が依然として実行される必要があるかを知る。図示された実施形態（図１１Ｅ（４））では、リストに挙げられたこの機能ステップは、ＯＰＥＮ（開く）、ＳＵＢＭＩＴＴＥＤ（提出）、ＡＵＴＨＯＲＩＺＥＤ（非認可）、ＰＲＩＮＴＥＤ（印刷）およびＣＯＭＰＯＵＮＤＥＤ（調合）を含む。
【０１１０】
ＯＰＥＮ（開く）ステップは、オーダーエントリウィンドウ４３６を開いて、調合オーダーを作り上げる情報をエントリし、ＯＰＥＮ（開く）アイコン４５２をマウスクリックすることを必然的に伴う。図１１Ｅ（４）では、ＯＰＥＮ（開く）アイコン４５２は、色付けられるか、強調されて、このステップが達成されたことを示す。
【０１１１】
ＳＵＢＭＩＴＴＥＤ（提出）ステップは、ＳＵＢＭＩＴＴＥＤ（提出）アイコン４５４をマウスクリックすることを必然的に伴う。これにより、データベースに情報が置かれて、待ち状態の調合オーダーを含むオーダーエントリウィンドウを、適切なオペレータアクセスレベルで（この場合、指定された認可薬剤師である）任意のワークステーションを閲覧するために利用可能にする。ＳＵＢＭＩＴＴＥＤ（提出）アイコン４５４は、ステップが完了すると、オーダーエントリウィンドウ４３６上で色付けされるか、強調される。オーダーエントリプロセスマネージャ８４は、好ましくは、認可待ちの様々なオーダーエントリワークステーションによって提出された調合オーダーのデータベースを追跡する。これにより、調合オーダーのデータベースは、認可薬剤師のワークステーションのブラウザソフトウェアによって、組織化された様態でアクセスされ得る。認可薬剤師は、待ち状態のオーダーの各々を閲覧するために、周期的にブラウザソフトウェアを動作させて、待ち状態のオーダーのキューにアクセスし、オーダーエントリウィンドウ４３６上のＡＵＴＨＯＲＩＺＥ  ＴＨＩＳ  ＯＲＤＥＲ  ＦＯＲ  ＣＯＭＰＯＵＮＤＩＮＧ（調合のこのオーダーを認可する）フィールドボックス４５６の各オーダーの認可を示すことを知っている。
【０１１２】
別の構成では、オーダーエントリプロセスマネージャ８４は、通知機能を含み得る。この通知機能は、認可薬剤師のワークステーションにポップアップメッセージを提供して、それぞれの薬剤師に対して、認可を待つ入力された調合オーダーがあることを通知する。ポップアップメッセージをクリックすると、認可薬剤師がアクセス可能である、認可を待つオーダーのリストが開かれる。
【０１１３】
図示された実施形態では、認可ステートメント（ボックス４５８）をクリックして、調合が実行されるシフト（ボックス４６０）を選択し、ＡＵＴＨＯＲＩＺＥ  ＦＯＲ  ＣＯＭＰＯＵＮＤＩＮＧ（調合のオーダーの認可）アイコン４６２を選択することを必然的に伴う。調合オーダーが可能な限り実行される場合、ＳＴＡＴ  ＯＲＤＥＲ（オーダー開始）アイコン４６４が提供される。ＡＵＴＨＯＲＩＺＥＤ（認可）アイコン４６６は、認可ステップが完了すると、オーダーエントリウィンドウ４３６上で色付けされるか、強調される。
【０１１４】
オーダーエントリプロセスマネージャ８４は、望ましくは、認可されて、ラベルプリントを待機しているデータベースにある調合オーダーを追跡する。これにより、オーダーのこのサブセットは、印刷が行われるワークステーションにおいて、組織化された様態でアクセスされ得る。これらの調合オーダーは、最終的な溶液コンテナ１４用のラベルが印刷されるワークステーションにおいて、アクセスされる。
【０１１５】
別の構成では、オーダーエントリプロセスマネージャ８４は、通知機能を含み得る。この通知機能は、ワークステーションにおいてポップアップメッセージを提供する。このワークステーションでは、印刷が開始して、ポップアップメッセージ上で認可調合オーダー待機印刷をクリックすると、印刷機能を実行するためにオペレータがアクセス可能なオーダー待機ラベル印刷のリストが開かれることをオペレータに通知する。
【０１１６】
オーダーエントリプロセスマネージャ８４は、オーダーエントリウィンドウ４３６に入力された情報に基づいて、ラベリング（図１２を参照）を初期化する。このラベリングは、オーダーされた場合、最終的な溶液コンテナ１４用のラベル４６８、ソース溶液および目標の調合容積を特定するワークシート４７０、最終的な溶液コンテナ１４の内容を栄養情報に提供するワークシート４７２、および、ピギーバックコンテナ用のラベル４７４を含む。さらに、ラベリングは、調合コントロールマネージャ７２が調合オーダーを検証し、実際の調合処理を行うために必要とするバーコード４７６を含む。（最終的な溶液コンテナラベル４６８上の）この最終的なコンテナのバーコード４７６は、また、能力が高い医薬品調剤デバイス（例えば、注入ポンプ）への調合の後、化学式情報を電気的に転送するために用いられてもよい。
【０１１７】
印刷ステップが完了すると、調合オーダーは、調合デバイス１８の調合コントロールマネージャ７２への電子転送のために利用可能とされる。ＰＲＩＮＴＥＤ（印刷）アイコン４７８は、ラベリング印刷ステップが完了して、完了のために調合コントロールマネージャ７２にオーダーが利用可能とされると、オーダーエントリウィンドウ４３６上で色づけされるか、強調される。
【０１１８】
オーダーエントリプロセスマネージャ８４が可能とするネットワーク化された調合環境では、調合するときに、調合ステーションにおける調合臨床医は、調合コントロールマネージャ７２にログインして、調合コントールマネージャ７２（図９Ｂを参照）によって生成されたメインスクリーン２０２上のＡＵＴＯ  ＰＧＭ（自動ＰＧＭ）タッチボタン２３４を選択する。これにより、キュー選択スクリーン２３６（図９Ｐ）が開かれる。このキュー選択スクリーン２３６は、オーダーエントリプロセスマネージャ８４によって制御されるように、以前に記載されたオーダーエントリおよび処理ステップによって確立された、プログラムされたスケジュールキューのリストを表示する。オペレータは、（現在の調合シフト−（例えば、朝か午後か）に基づいて）所望のキューを選択し、キュー選択スクリーン２３６上のＥＮＴＥＲ（入力）タッチボタンを押す。調合コントロールマネージャ７２は、それがオーダーエントリプロセスマネージャ８４をメモリに受け取るオーダーキューリストを保持し、その後、メインスクリーン２０２（図９Ｑを参照）は、オペレータがウィンドウ２３８の現在のオーダーキューリストを閲覧することを可能にする。この構成では、オペレータは、メインスクリーン２０２上のプログラム化されたオーダーキューリスト２３８からオーダーを選択して、その後、調合コントロールマネージャ７２によって促進される場合、最終的な溶液コンテナ１４をマニホールド３６に接続して、ソース溶液および最終的な溶液の検証の実行し、（必要である場合）フラッシングシーケンスを実行することへと進み、上述した様態で調合を開始する。
【０１１９】
前述したように、調合制御マネージャ７２の確認機能におけるバーコードデータの使用は、オーダーエントリプロセスマネージャ８４により生成されるラベリング（図１２）が調合デバイスを動作し、調合オーダーを完成するために調合臨床医に利用され、かつ、調合臨床医によって用いられる必要があることを余儀なくされる。これは、調合制御マネージャ７２の制御機能を有するオーダーエントリプロセスマネージャ８４の提出、認証、および印刷機能を統合する。
【０１２０】
調合制御マネージャ７２は、調合プロセスが完成したときに、オーダーエントリプロセスマネージャ８４と通信し、従って、オーダーエントリウィンドウ上のＣＯＭＰＯＵＮＤＥＤ（調合）アイコン４８０は、色付けされるか、または強調表示される。
【０１２１】
オーダーエントリプロセスマネージャ８４は、ＰＲＥＳＣＲＩＰＴＩＯＮ  ＯＲＤＥＲＳ（処方オーダー）メニューボックスを介してアクセスされ得る他の機能を提供し得る。例えば、図１１Ａに示されるように、オペレータがシフトによる調合オーダーのスケジューリングを見て、変更することを可能にする、Ｓｃｈｅｄｕｌｅｓ（スケジュール）コンポーネントが含まれ得る。
【０１２２】
図１１Ａに示されるホームスクリーン上で、オペレータは、マウスクリックでもって、オーダーエントリプロセスマネージャ８４の他の機能モジュールを選択し得る。例えば、オペレータが調合設備によって保存されるベースコンポーネントの在庫を見ようとする場合、オペレータは、ＳＯＵＲＣＥ  ＳＯＬＵＴＩＯＮＳ（ソース溶液）のメニューボックス４０２のＢＡＳＥ  ＣＯＭＰＯＮＥＮＴＳ（ベースコンポーネント）の機能上でマウスをクリックする。ＳＯＵＲＣＥ  ＳＯＬＵＴＩＯＮＳ（ソース溶液）のメニューボックス４０２は、図１１Ｈ（１）上に示されるＢＡＳＥ  ＣＯＭＰＯＮＥＮＴＳ  ＭＡＩＮ  ＰＡＧＥ（ベースコンポーネントのメインページ）４８２を開く。このウィンドウは、オーダーエントリプロセスマネージャ８４のＢａｓｅ  Ｓｏｌｕｔｉｏｎｓ  Ｄａｔａ  Ｂａｓｅ  Ｃｏｍｐｏｎｅｎｔ（ベース溶液のデータベースコンポーネント）４２８の機能へのアクセスを提供する。この機能的なユニットは図１０Ｄに概略的に示される。
【０１２３】
選択されるとき、ＢＡＳＥ  ＣＯＭＰＯＮＥＮＴＳ  ＭＡＩＮ  ＰＡＧＥ（ベースコンポーネントのメインページ）４８２（図１１Ｈ（１））により、オペレータは、既存の設備の在庫に保存されるベースコンポーネントを選択すること、および在庫にベースコンポーネントを追加することが可能になる。ベースコンポーネントの選択は、図１１Ｈ（２）および１１Ｈ（３）において示されるように、選択されるコンポーネントに関してスクロール可能なＢａｓｅ  Ｃｏｍｐｏｎｅｎｔ  Ｉｎｖｅｎｔｏｒｙ  Ｐａｇｅ（ベースコンポーネントの在庫ページ）４８４を開く。Ｂａｓｅ  Ｃｏｍｐｏｎｅｎｔ  Ｉｎｖｅｎｔｏｒｙ  Ｐａｇｅ（ベースコンポーネントの在庫ページ）４８４により、選択されたベースコンポーネントに関する適切な情報（例えば、その名前、族タイプ（アミノ酸、グルコース、脂肪乳剤など）、濃度、比重、１００ｍｌ当たりの費用、コンポーネントを搬送するための調合デバイスのポンプロータアセンブリの選択、ＮＤＣロット番号、有効期限、電解液のコンテンツ、栄養学上のコンテンツ、および他の情報）のオーダーエントリプロセスマネージャ８４によるエントリおよび保持が可能になる。
【０１２４】
同様に、オペレータが調合設備によって保存される追加溶液の在庫にアクセスしようとする場合、オペレータは、ＳＯＵＲＣＥ  ＳＯＬＵＴＩＯＮＳ（ソース溶液）のメニューボックス４０２のＡｄｄｉｔｉｖｅ  Ｓｏｌｕｔｉｏｎｓ（追加溶液）機能上でマウスをクリックし、図１１Ｉ（１）に示されるＡＤＤＩＴＩＶＥ  ＳＯＬＵＴＩＯＮＳ  ＭＡＩＮ  ＰＡＧＥ（追加溶液のメインページ）４８６を開く。このウィンドウはオーダーエントリプロセスマネージャ８４のＡｄｄｉｔｉｖｅ  Ｓｏｌｕｔｉｏｎｓ  Ｄａｔａ  Ｂａｓｅ  Ｃｏｍｐｏｎｅｎｔ（追加溶液のデータベースコンポーネント）４３０の機能へのアクセスを提供する。この機能ユニットは、図１０Ｅに概略的に示される。
【０１２５】
選択されるとき、ＡＤＤＩＴＩＶＥ  ＳＯＬＵＴＩＯＮＳ  ＭＡＩＮ  ＰＡＧＥ（追加溶液のメインページ）４８６（図１１Ｉ（１））は、オペレータが既存の設備において保存される追加の溶液を選択すること、または、在庫に追加の溶液を追加することを可能にする。追加の溶液の選択は、図１１Ｉ（２）および１１Ｉ（３）に示されるように、選択された追加の溶液に関して、スクロール可能なＡｄｄｉｔｉｖｅ  Ｓｏｌｕｔｉｏｎ  Ｉｎｖｅｎｔｒｙ  Ｐａｇｅ（追加溶液の在庫ページ）４８８を開く。Ａｄｄｉｔｉｖｅ  Ｓｏｌｕｔｉｏｎ  Ｉｎｖｅｎｔｏｒｙ  Ｐａｇｅ（追加溶液の在庫ページ）４８８は、選択された追加の溶液に関する適切な情報（例えば、その名前、族タイプ（アミノ酸、グルコース、脂肪乳剤など）、濃度、比重、１００ｍｌ当たりの費用、コンポーネントを搬送するための調合デバイスのポンプロータアセンブリの選択、ＮＤＣロット番号、有効期限、電解液のコンテンツ、栄養学上のコンテンツ、および他の情報）のオーダーエントリプロセスマネージャ８４によるエントリおよび保持を可能にする。
【０１２６】
オーダーエントリプロセスマネージャ８４のＢａｓｅ  Ｓｏｌｕｔｉｏｎｓ  Ｄａｔａ
Ｂａｓｅ  Ｃｏｍｐｏｎｅｎｔ（ベース溶液のデータベースコンポーネント）４２８は、オーダーエントリプロセスマネージャ８４の他の機能モジュールによる相互参照のために、適切な情報を格納する。例えば、Ｆｏｒｍｕｌａ  Ｌｉｂｒａｒｙ（製法ライブラリ）４２６は、Ｂａｓｅ  Ｓｏｌｕｔｉｏｎｓ  Ｄａｔａ  Ｂａｓｅ（ベース溶液のデータベース）４２８およびＡｄｄｉｔｉｖｅ  Ｓｏｌｕｔｉｏｎｓ  Ｄａｔａ  Ｂａｓｅ（追加溶液のデータベース）４３０に格納された情報を参考にし、製法テンプレートにデフォルト情報を記入する。従って、ライブラリ溶液は、患者のタイプによって限定され得る。別の例として、プリントされたラベリング（図１２におけるラベル４７２）に含まれる、オーダープロセスマネージャ８４により引き出される栄養学上の情報は、ベース溶液のデータベース４２８に格納される情報から引き出される。管理レポート（後述される）は、Ｂａｓｅ  Ｓｏｌｕｔｉｏｎｓ  Ｄａｔａ  Ｂａｓｅ（ベース溶液のデータベース）４２８およびＡｄｄｉｔｉｖｅ  Ｓｏｌｕｔｉｏｎｓ  Ｄａｔａ  Ｂａｓｅ（追加溶液のデータベース）４３０に格納される情報に基づいた在庫、使用、および費用管理情報を得る。
【０１２７】
図１１Ａに示されるホームページから、オペレータは、マウスクリックを用いて、レポートモジュール４０４にアクセスすることを選択する。オペレータは、ＲＥＰＯＲＴ（レポート）メニューボックス４０４に含まれるレポート選択のリストの間で選択し得る。レポートモジュール４０４は、オペレータに、調合アクティビティのトラッキングおよびこれらのアクティビティに関係する様々な管理上のレポートを生成することを可能にさせる。勿論、調合設備の特別な要求によって、レポートの性質およびフォーマットが変化し得る。レポートモジュール４０４は、例えば、（ｉ）所定のレポーティング周期中に入力された調合オーダー（例えば、患者、日付、時間、およびエントリオペレータなどによってアレンジされる）をリストするか、（ｉｉ）所定のレポーティング周期中に調合された調合オーダー（例えば、調合デバイス番号、日付、時間、調合臨床医、患者、最終コンテナ番号、および経過時間などによってアレンジされる）をリストするか、（ｉｉｉ）例えば、溶液タイプ、日、月、コスト、および／またはロット数などによってアレンジされる、所定のレポーティング周期中に、ソース溶液の使用リットルをリストするか、あるいは、（ｉｖ）例えば、溶液タイプにより調合された流体のｍＬ当たりのコスト、コンテナまたは溶液タイプによる均一コスト、機械が調合する時間による人件費、均一な人件費、またはこれらの任意の組み合わせを含む、完成した調合されたコンテナに対する、顧客の請求書の控えをリストするか、あるいは、（ｖ）日付、時間、オペレータの名前、およびイベントによってアレンジされる、オーダーエントリプロセシングマネージャにアクセスするオペレータのログをリストする、レポートを生成し得る。プレフォーマットされたテンプレートに従って、オーダーエントリプロセスマネージャのレポートモジュール４０４によってか、カスタマイズ化によってか、あるいはオーダーエントリプロセスマネージャ８４により保持されるデータベースのカスタマイズ化かまたリレーショナルフィールドの検索によって、これらのレポートのいずれかまたは全てが生成され得る。レポートモジュール４０４は、好ましくは、ハードコピーフォーマットでプリントするためのレポートをフォーマットする機能、または、例えばＰＤＦファイルフォーマットといった電子ファイルフォーマットでレポートをアンロードする機能を備える。
【０１２８】
図１１Ａに示されるホームページから、オペレータは、マウスクリックを用いて、管理モジュール４０６にアクセスするように選択し得る。オペレータは、ＡＤＭＩＮＩＳＴＲＡＴＩＯＮメニューボックス４０６に含まれる管理オプションのリスト間で選択し得る。管理モジュールは、この例において、一般に、調合アクティビティのサポートにおける多様な管理タスクの実行において、調合アクティビティの管理または監督者であるオペレータを補助する。
【０１２９】
言うまでもなく、管理モジュール４０６によってサポートされる管理機能の性質は、調合設備の特別な要求に従って変化し得る。例えば、管理モジュール４０６により、管理者は、シフトスケジュール（このシフトスケジュールの間に調合が行われる）に追加、削除、または変更することが可能になり得る。次に、シフトスケジュールは、オーダー認証プロセス中に認証する薬剤師による選択に対し、Ｏｒｄｅｒ  Ｅｎｔｒｙ（オーダーエントリ）ウェブページ（図１１Ｅ（４））において見えるようになる（ボックス４６０）。別の例として、管理モジュール４０６により、管理者は、調合設備によって維持される調合デバイスの在庫リストに追加、削除、または変更することが可能になり得る。次に、この情報は、レポートモジュール４０４によって生成される調合レポートにおける使用に対し利用可能になる。別の例として、管理モジュール４０６により、調合設備によって明らかにされる患者タイプ（例えば、標準的な大人、標準的な新生児、標準的な小児）のカテゴリに追加、削除、または変更することが可能になり得る。次に、患者タイプは、患者情報のデータベースにリンクされ得、かつオーダーエントリプロセスマネージャ８４によって維持される処方テンプレートデータベース４２６にもリンクされ得る（すなわち、標準的な大人の処方テンプレートが、標準的な大人の患者タイプにリンクされ、調合オーダーエントリプロセスを容易にする）。別の例として、管理モジュール４０６により、管理者は、名前またはオペレータのグループ（例えば、管理スタッフ、薬局スタッフ、薬局の技術者、監督者）毎に、オペレータのリストに追加、削除、変更することが可能になり得る。各オペレータおよび各オペレータのグループへの特定の割当パスワードおよびアクセス権利と同じように、これらのオペレータのグループに、オーダーエントリプロセスマネージャ８４へのアクセスが許可される。これについて、オペレータの権利および限定は、個々に、そのオペレータ（例えば、技術者または薬剤師として）に対し、グループ全体の一部としてではなく、調整され得る。グループはまた、正確な患者タイプへのアクセスが禁止されるか、または可能になり得る（例えば、ドクターブラウンは、ドクタースミスの患者に関する情報を見ることができる）。
【０１３０】
図１１Ａに示されるホームページについて、オーダーエントリプロセスマネージャ８４のナビゲーションモジュール４０８によって提供されるオプション間の選択は、オペレータのホームページ、ヘルプ機能、一般的なデータベースサーチ機能（オーダーエントリ、レポート、または管理機能を除く）、ならびに／あるいは、ユーザログアウト機能へのショートカットを提供し得る。政府のＨＩＰＡＡ規定に従って、患者記録のプライバシーについて、オペレータのアクセス権の選択的使用が可能になる。
【０１３１】
ここで、理解され得るように、オーダーエントリプロセスマネージャ８４およびブラウザソフトウェアは、ダイレクトワイヤ（ｄｉｒｅｃｔ  ｗｉｒｅ）、ネットワーク、またはインターネットベースのシステムを介して、医者または調合オーダー設備に調合の要求を電子的に伝送する能力を提供する。オーダーエントリプロセスマネージャ８４およびブラウザソフトウェアは、サイト上に調合の要求を電子的に入力するか、または遠隔サイトから生じた顧客の調合要求を電子的に受け取る能力を調合設備に提供する。オーダーエントリプロセスマネージャ８４およびブラウザソフトウェアは、効率的な調合および送達スケジュールに複数の顧客の調合要求を待ち行列にする能力を調合設備に提供する。オーダーエントリプロセスマネージャ８４およびブラウザソフトウェアは、バーコードを含むコンテナラベルを生成し、かつ、実際の調合プロセスを制御する能力を調合設備に提供する。オーダーエントリプロセスマネージャ８４およびブラウザソフトウェアは、完全に調合されたコンテナに対する顧客の請求書および在庫制御を自動的に生成する能力を調合設備に提供する。請求書のオプションは、溶液タイプによる調合流体のｍＬ毎のコスト、バッグまたは溶液タイプによる均一料金のコスト、機械の調合時間による労働賃金、均一な労働賃金、またはこれらの任意の組み合わせを含み得る。
【０１３２】
発明の特徴は、添付の特許請求の範囲に示される。
【図１】
2010137082.tif 000003
【図２Ａ】
2010137082.tif 000004
【図２Ｂ】
2010137082.tif 000005
【図２Ｃ】
2010137082.tif 000006
【図２Ｄ】
2010137082.tif 000007
【図２Ｅ】
2010137082.tif 000008
【図２Ｆ】
2010137082.tif 000009
【図３】
2010137082.tif 000010
【図４】
2010137082.tif 000011
【図５】
2010137082.tif 000012
【図６Ａ】
2010137082.tif 000013
【図６Ｂ】
2010137082.tif 000014
【図７】
2010137082.tif 000015
【図８Ａ】
2010137082.tif 000016
【図８Ｂ】
2010137082.tif 000017
【図８Ｃ】
2010137082.tif 000018
【図８Ｄ】
2010137082.tif 000019
【図８Ｅ】
2010137082.tif 000020
【図８Ｆ】
2010137082.tif 000021
【図９Ａ】
2010137082.tif 000022
【図１０Ａ】
2010137082.tif 000023
【図１０Ｂ】
2010137082.tif 000024
【図１０Ｃ】
2010137082.tif 000025
【図１０Ｄ】
2010137082.tif 000026
【図１０Ｅ】
2010137082.tif 000027
【図１１Ａ】
2010137082.tif 000028
【図１１Ｂ】
2010137082.tif 000029
【図１１Ｃ】
2010137082.tif 000030
【図１１Ｄ】
2010137082.tif 000031
【図１１Ｅ−１】
2010137082.tif 000032
【図１１Ｅ−２】
2010137082.tif 000033
【図１１Ｅ−３】
2010137082.tif 000034
【図１１Ｅ−４】
2010137082.tif 000035
【図１１Ｆ−１】
2010137082.tif 000036
【図１１Ｆ−２】
2010137082.tif 000037
【図１１Ｆ−３】
2010137082.tif 000038
【図１１Ｆ−４】
2010137082.tif 000039
【図１１Ｇ−１】
2010137082.tif 000040
【図１１Ｇ−２】
2010137082.tif 000041
【図１１Ｈ−１】
2010137082.tif 000042
【図１１Ｈ−２】
2010137082.tif 000043
【図１１Ｈ−３】
2010137082.tif 000044
【図１１Ｉ−１】
2010137082.tif 000045
【図１１Ｉ−２】
2010137082.tif 000046
【図１１Ｉ−３】
2010137082.tif 000047
【図１２】
2010137082.tif 000048
【図１３】
2010137082.tif 000049
【図１４Ａ】
2010137082.tif 000050
【図１４Ｂ−１】
2010137082.tif 000051
【図１４Ｂ−２】
2010137082.tif 000052
【図１４Ｂ−３】
2010137082.tif 000053
【図１４Ｂ−４】
2010137082.tif 000054
【図１４Ｂ−５】
2010137082.tif 000055
【図１４Ｂ−６】
2010137082.tif 000056
【図１４Ｂ−７】
2010137082.tif 000057
【図１４Ｂ−８】
2010137082.tif 000058
【図９Ｂ】
2010137082.tif 000059
【図９Ｃ】
2010137082.tif 000060
【図９Ｄ】
2010137082.tif 000061
【図９Ｅ】
2010137082.tif 000062
【図９Ｆ】
2010137082.tif 000063
【図９Ｇ】
2010137082.tif 000064
【図９Ｈ】
2010137082.tif 000065
【図９Ｉ】
2010137082.tif 000066
【図９Ｊ】
2010137082.tif 000067
【図９Ｋ】
2010137082.tif 000068
【図９Ｌ】
2010137082.tif 000069
【図９Ｍ】
2010137082.tif 000070
【図９Ｎ】
2010137082.tif 000071
【図９Ｏ】
2010137082.tif 000072
【図９Ｐ】
2010137082.tif 000073
【図９Ｑ】
2010137082.tif 000074
【図９Ｒ】
2010137082.tif 000075
【図９Ｓ】
2010137082.tif 000076
【図９Ｔ】
2010137082.tif 000077
【図９Ｕ】
2010137082.tif 000078
【図９Ｖ】
2010137082.tif 000079
【図９Ｗ】
2010137082.tif 000080